(57)【特許請求の範囲】
【請求項１】
画像形成装置であって、
前記画像形成装置の全体制御を行う主制御部と、
情報を表示して利用者から入力操作が行われる操作表示部の制御を行う操作表示制御部と、を備え、
前記操作表示制御部は、
電源が投入された後に最初に前記操作表示部に表示する初期画面のデータである初期画面データを保存する不揮発性の記憶媒体である第１記憶手段と、
起動処理で使用されるブート処理データを保存する不揮発性の記憶媒体である第２記憶手段と、
電源が投入された場合、前記第２記憶手段から前記ブート処理データを読み出して、起動処理を行う処理制御手段と、
電源が投入された場合、前記第１記憶手段から前記初期画面データを読み出して、読み出した前記初期画面データに基づいて前記操作表示部に前記初期画面を表示する表示制御手段と、
利用者により電源キーを押下されることで、前記画像形成装置への電源供給の開始操作および停止操作を受け付ける入出力制御手段と、
前記電源供給の停止操作を受け付けた場合、または前記画像形成装置に対する最後の操作から一定時間経過した場合、前記画像形成装置に関する情報である機器情報を、前記画像形成装置の内部から取得する機器情報取得手段と、
前記機器情報を取得した場合、取得した前記機器情報に基づいて、前記操作表示部に表示する復帰時初期画面のデータである復帰時初期画面データを生成し、生成した前記復帰時初期画面データを前記第１記憶手段に保存する画面生成手段と、
前記復帰時初期画面データが前記第１記憶手段に保存された場合、電源供給の停止要求を前記主制御部に送信し、前記電源供給の開始操作を受け付けた場合または前記画像形成装置に対する所定の操作を受け付けた場合、電源供給の開始要求を前記主制御部に送信する通信手段と、を備え、
前記主制御部は、前記操作表示制御部から、前記電源供給の停止要求を受信した場合、前記画像形成装置を、前記画像形成装置の全部の部位に電力供給する状態である通常状態から、前記画像形成装置の一部の部位に電力供給する状態である省エネルギー状態に移行し、前記電源供給の開始要求を受信した場合、前記画像形成装置を、前記省エネルギー状態から前記通常状態に復帰する制御を行い、
前記処理制御手段は、前記省エネルギー状態から前記通常状態に復帰した場合、前記第２記憶手段から前記ブート処理データを読み出して、起動処理を行い、
前記表示制御手段は、前記省エネルギー状態から前記通常状態に復帰した場合、前記第１記憶手段から前記復帰時初期画面データを読み出して、読み出した前記復帰時初期画面データに基づいて前記操作表示部に前記復帰時初期画面を表示することを特徴とする画像形成装置。
【請求項２】
前記通信手段は、前記復帰時初期画面データが前記第１記憶手段に保存された場合、前記通常状態から前記省エネルギー状態へ移行可能である旨を示す移行可能通知を前記主制御部に送信し、
前記主制御部は、前記移行可能通知を受信し、かつ前記電源供給の停止要求を受信した場合、前記通常状態から前記省エネルギー状態に移行する制御を行うことを特徴とする請求項１に記載の画像形成装置。
【請求項３】
前記入出力制御手段は、前記画像形成装置が前記省エネルギー状態から復帰した場合に、前記操作表示部に前記復帰時初期画面を表示する旨の要求を受け付け、
前記表示制御手段は、前記要求を受け付けた場合、前記復帰時初期画面を前記操作表示部に表示することを特徴とする請求項１に記載の画像形成装置。
【請求項４】
前記通信手段は、前記復帰時初期画面を表示する旨の第１表示指示を、前記主制御部から受信し、
前記表示制御手段は、前記第３表示指示を受信した場合、前記復帰時初期画面を前記操作表示部に表示することを特徴とする請求項１に記載の画像形成装置。
【請求項５】
前記操作表示制御部は、
データを一時的に記憶可能な第３記憶手段をさらに備え、
前記第１記憶手段は、ブロック単位でのみ読み書き可能な記憶媒体であり、
前記表示制御手段は、前記第１記憶手段から読み出した前記初期画面データまたは前記復帰時初期画面データを前記第３記憶手段に展開して保存し、保存した前記初期画面データまたは前記復帰時初期画面データを前記第３記憶手段から読み出し、読み出した前記初期画面データまたは前記復帰時初期画面データに基づいて前記操作表示部に前記初期画面または前記復帰時初期画面を表示することを特徴とする請求項１に記載の画像形成装置。
【請求項６】
前記通信手段は、前記操作表示部に表示する前記初期画面および前記復帰時初期画面以外の各種画面のデータである画面データと、前記各種画面を前記操作表示部に表示する旨の第２表示指示とを、前記主制御部から受信し、
前記表示制御手段は、前記第２表示指示に従って前記各種画面を前記操作表示部に表示することを特徴とする請求項１に記載の画像形成装置。
【請求項７】
前記通信手段は、所定状態において電源が投入された場合、前記初期画面データを要求する初期画面要求を前記主制御部に送信し、前記初期画面データと前記初期画面を前記操作表示部に表示する旨の第３表示指示とを、前記主制御部から受信し、
前記表示制御手段は、前記第３表示指示に従って前記初期画面を前記操作表示部に表示することを特徴とする請求項１に記載の画像形成装置。
【請求項８】
前記所定状態は、前記操作表示部における前記入力操作を行う操作キーの押下を受け付けた状態を含むことを特徴とする請求項７に記載の画像形成装置。
【請求項９】
前記操作表示制御部は、
前記画像形成装置の起動処理中に異常が発生したか否かを判断する判断手段をさらに備え、
前記通信手段は、前記起動処理中に異常が発生した場合、前記初期画面データを要求する初期画面要求を前記主制御部に送信し、前記初期画面データと前記初期画面を前記操作表示部に表示する旨の第３表示指示とを、前記主制御部から受信し、
前記表示制御手段は、前記第３表示指示に従って前記初期画面を前記操作表示部に表示することを特徴とする請求項１に記載の画像形成装置。
【請求項１０】
前記表示制御手段は、前記第３表示指示に従って前記初期画面を前記操作表示部に表示した場合、異常が発生している旨を示す異常情報を、前記操作表示部に表示することを特徴とする請求項７〜９のいずれか一つに記載の画像形成装置。
【請求項１１】
前記操作表示制御部は、
前記操作表示部から前記異常情報を表示する旨の要求を受け付ける入出力制御手段をさらに備え、
前記表示制御手段は、前記要求を受け付けた場合、前記異常情報を前記操作表示部に表示することを特徴とする請求項１０に記載の画像形成装置。
【請求項１２】
前記第１記憶手段は、複数の前記初期画面データを保存し、
前記表示制御手段は、電源が投入された場合、前記第１記憶手段から前記複数の初期画面データを読み出して、読み出した前記複数の初期画面データのうち任意の前記初期画面データに基づいて前記操作表示部に前記初期画面を表示することを特徴とする請求項１に記載の画像形成装置。
【請求項１３】
前記入出力制御手段は、前記操作表示部から前記複数の初期画面データに対応する初期画面のうちいずれの初期画面を表示するかを指定する選択操作を受け付け、
前記表示制御手段は、電源が投入された場合、前記第１記憶手段から前記複数の初期画面データを読み出して、読み出した前記複数の初期画面データのうち、前記選択操作により指定された前記初期画面に対応する前記初期画面データを選択して、選択した前記初期画面データに基づいて前記操作表示部に前記初期画面を表示することを特徴とする請求項１２に記載の画像形成装置。
【請求項１４】
前記表示制御手段は、前記複数の初期画面のうち所望の前記初期画面を指定するための選択画面を前記操作表示部に表示し、
前記入出力制御手段は、前記選択画面から前記選択操作を受け付けることを特徴とする請求項１３に記載の画像形成装置。
【請求項１５】
前記入出力制御手段は、前記操作表示部に前記選択画面を表示するための特定操作を受け付け、
前記表示制御手段は、前記特定操作を受け付けた場合、前記選択画面を前記操作表示部に表示することを特徴とする請求項１４に記載の画像形成装置。
【請求項１６】
前記特定操作は、利用者による暗証番号の入力操作を含むことを特徴とする請求項１５に記載の画像形成装置。
【請求項１７】
前記第１記憶手段は、さらに前記操作表示部に表示する動画データを保存し、
前記操作表示制御部は、
前記動画を前記操作表示部に表示する旨の第４表示指示を、前記主制御部から受信する通信手段をさらに備え、
前記表示制御手段は、前記第４表示指示を受信した場合、前記第１記憶手段から前記動画データを読み出して、読み出した前記動画データに基づいて前記操作表示部に前記動画を表示することを特徴とする請求項１に記載の画像形成装置。
【請求項１８】
前記通信手段は、前記第１記憶手段に保存されている前記動画データを更新する旨の更新指示と、前記操作表示部に表示する新規の動画データである新規動画データとを、前記主制御部から受信し、
前記操作表示制御部は、
受信した前記更新指示に従って、前記新規動画データを前記第１記憶手段に保存されている前記動画データに上書きして保存することで、前記動画データを更新する更新手段をさらに備えることを特徴とする請求項１７に記載の画像形成装置。
【請求項１９】
前記操作表示制御部は、
前記操作表示部から、前記第１記憶手段に保存されている前記動画データの更新要求を受け付ける入出力制御手段をさらに備え、
前記通信手段は、受け付けた前記更新要求を前記主制御部に送信し、
前記主制御部は、
前記更新要求を前記操作表示制御部から受信する受信手段と、
前記更新要求を受信した場合、ネットワークを介して前記新規動画データを取得するデータ取得手段と、
取得した前記新規動画データと、前記更新指示とを、前記操作表示制御部に送信する送信手段と、をさらに備えることを特徴とする請求項１８に記載の画像形成装置。
【請求項２０】
前記主制御部は、
前記第１記憶手段に保存されている前記動画データを更新するタイミングを判断するタイミング判断手段と、
前記動画データの更新するタイミングになった場合、ネットワークを介して前記新規動画データを取得するデータ取得手段と、
取得した前記新規動画データと、前記更新指示とを、前記操作表示制御部に送信する送信手段と、をさらに備えることを特徴とする請求項１８に記載の画像形成装置。
【請求項２１】
前記主制御部は、
前記画像形成装置に対して着脱可能であって、前記新規動画データを保存する不揮発性の記憶媒体である第４記憶手段と、
前記第４記憶手段が画像形成装置に装着された場合、前記第４記憶手段から前記新規動画データを取得するデータ取得手段と、
取得した前記新規動画データと、前記更新指示とを、前記操作表示制御部に送信する送信手段と、をさらに備えることを特徴とする請求項１８に記載の画像形成装置。
【請求項２２】
画像形成装置の全体制御を行う主制御部と、情報を表示して利用者から入力操作が行われる操作表示部の制御を行う操作表示制御部とを備えた画像形成装置における前記操作表示制御部で実行される表示処理方法あって、
電源が投入された後に最初に前記操作表示部に表示する初期画面のデータである初期画面データを保存する不揮発性の記憶媒体である第１記憶手段と、
起動処理で使用されるブート処理データを保存する不揮発性の記憶媒体である第２記憶手段を備え、
電源が投入された場合、前記第２記憶手段から前記ブート処理データを読み出して、起動処理を行う第１処理制御ステップと、
電源が投入された場合、前記第１記憶手段から前記初期画面データを読み出して、読み出した前記初期画面データに基づいて前記操作表示部に前記初期画面を表示する第１表示制御ステップと、
利用者により電源キーを押下されることで、前記画像形成装置への電源供給の停止操作を受け付けた場合、または前記画像形成装置に対する最後の操作から一定時間経過した場合、前記画像形成装置に関する情報である機器情報を、前記画像形成装置の内部から取得する機器情報取得ステップと、
前記機器情報を取得した場合、取得した前記機器情報に基づいて、前記操作表示部に表示する復帰時初期画面のデータである復帰時初期画面データを生成し、生成した前記復帰時初期画面データを前記第１記憶手段に保存する画面生成ステップと、
前記復帰時初期画面データが前記第１記憶手段に保存された場合、電源供給の停止要求を前記主制御部に送信する第１送信ステップと、
利用者により電源キーを押下されることで、前記画像形成装置への電源供給の開始操作を受け付けた場合、または前記画像形成装置に対する所定の操作を受け付けた場合、電源供給の開始要求を前記主制御部に送信する第２送信ステップと、
電源供給の停止要求を受信した前記主制御部の制御により、前記画像形成装置が、前記画像形成装置の全部の部位に電力供給する状態である通常状態から、前記画像形成装置の一部の部位に電力供給する状態である省エネルギー状態に移行した後、電源供給の開始要求を受信した前記主制御部の制御により、前記画像形成装置が、前記省エネルギー状態から前記通常状態に復帰した場合、前記第２記憶手段から前記ブート処理データを読み出して、起動処理を行う第２処理制御ステップと、
前記画像形成装置が、前記省エネルギー状態から前記通常状態に復帰した場合、前記第１記憶手段から前記復帰時初期画面データを読み出して、読み出した前記復帰時初期画面データに基づいて前記操作表示部に前記復帰時初期画面を表示する第２表示制御ステップと、
を含むことを特徴とする表示処理方法。
【請求項２３】
請求項２２に記載の方法をコンピュータに実行させる表示処理プログラム。
【発明の詳細な説明】
【技術分野】
【０００１】
本発明は、画像形成装置全体の制御を行う主制御部と、情報を表示して利用者から入力操作が行われる操作表示部の制御を行う操作表示制御部とを備えた画像形成装置、表示処理方法、および表示処理プログラムに関するものであり、特に、電源投入時において初期画面を表示する際の画像形成装置、表示処理方法、および表示処理プログラムに関する。
【背景技術】
【０００２】
近年の画像形成装置では、機能の拡張に伴ってソフトウェアが大規模かつ複雑化してきたことにより、装置の起動時間が長くなってきている。そこで、システムの復帰に必要な情報を退避しておき、その情報を使用して復帰処理を行うことで、起動時間の短縮を図ったシステムが開示されている（例えば、特許文献１参照）。
【０００３】
【特許文献１】特開２００７−３８５８０号公報
【発明の開示】
【発明が解決しようとする課題】
【０００４】
しかしながら、上記特許文献１の技術では、画像形成装置のメインシステムの起動時間の短縮を図ったものではあるが、操作部システムの構成および初期画面の表示までの処理方法等については記載されていないため、操作部システムによる起動時間の短縮を図ったものではない。
【０００５】
本発明は、上記に鑑みてなされたものであって、ブート処理データや初期画面データが、主制御部の記憶媒体ではなく、操作部制御部の不揮発性記憶媒体に保存されていることで、電源投入時において、不揮発性記憶媒体からブート処理データを読み出して操作部制御部の起動処理を行ったり、不揮発性記憶媒体から初期画面データを読み出して初期画面を表示するため、操作部制御部から主制御部に対してブート処理データおよび初期画面データの要求および受信という送受信処理を行う必要がない。従って、初期画面の表示までの起動時間を短縮して、利用者が操作可能となるまでの待ち時間を低減することができる画像形成装置、表示処理方法、および表示処理プログラムを提供することを目的とする。
【課題を解決するための手段】
【０００６】
上述した課題を解決し、目的を達成するために、本発明は、画像形成装置であって、前記画像形成装置の全体制御を行う主制御部と、情報を表示して利用者から入力操作が行われる操作表示部の制御を行う操作表示制御部と、を備え、前記操作表示制御部は、電源が投入された後に最初に前記操作表示部に表示する初期画面のデータである初期画面データを保存する不揮発性の記憶媒体である第１記憶手段と、起動処理で使用されるブート処理データを保存する不揮発性の記憶媒体である第２記憶手段と、電源が投入された場合、前記第２記憶手段から前記ブート処理データを読み出して、起動処理を行う処理制御手段と、電源が投入された場合、前記第１記憶手段から前記初期画面データを読み出して、読み出した前記初期画面データに基づいて前記操作表示部に前記初期画面を表示する表示制御手段と、利用者により電源キーを押下されることで、前記画像形成装置への電源供給の開始操作および停止操作を受け付ける入出力制御手段と、前記電源供給の停止操作を受け付けた場合、または前記画像形成装置に対する最後の操作から一定時間経過した場合、前記画像形成装置に関する情報である機器情報を、前記画像形成装置の内部から取得する機器情報取得手段と、前記機器情報を取得した場合、取得した前記機器情報に基づいて、前記操作表示部に表示する復帰時初期画面のデータである復帰時初期画面データを生成し、生成した前記復帰時初期画面データを前記第１記憶手段に保存する画面生成手段と、前記復帰時初期画面データが前記第１記憶手段に保存された場合、電源供給の停止要求を前記主制御部に送信し、前記電源供給の開始操作を受け付けた場合または前記画像形成装置に対する所定の操作を受け付けた場合、電源供給の開始要求を前記主制御部に送信する通信手段と、を備え、前記主制御部は、前記操作表示制御部から、前記電源供給の停止要求を受信した場合、前記画像形成装置を、前記画像形成装置の全部の部位に電力供給する状態である通常状態から、前記画像形成装置の一部の部位に電力供給する状態である省エネルギー状態に移行し、前記電源供給の開始要求を受信した場合、前記画像形成装置を、前記省エネルギー状態から前記通常状態に復帰する制御を行い、前記処理制御手段は、前記省エネルギー状態から前記通常状態に復帰した場合、前記第２記憶手段から前記ブート処理データを読み出して、起動処理を行い、前記表示制御手段は、前記省エネルギー状態から前記通常状態に復帰した場合、前記第１記憶手段から前記復帰時初期画面データを読み出して、読み出した前記復帰時初期画面データに基づいて前記操作表示部に前記復帰時初期画面を表示することを特徴とする。
【０００７】
また、本発明は、画像形成装置において、前記操作表示制御部は、データを一時的に記憶可能な第３記憶手段をさらに備え、前記第１記憶手段は、ブロック単位でのみ読み書き可能な記憶媒体であり、前記表示制御手段は、前記第１記憶手段から読み出した前記初期画面データまたは前記復帰時初期画面データを前記第３記憶手段に展開して保存し、保存した前記初期画面データまたは前記復帰時初期画面データを前記第３記憶手段から読み出し、読み出した前記初期画面データまたは前記復帰時初期画面データに基づいて前記操作表示部に前記初期画面または前記復帰時初期画面を表示することを特徴とする。
【０００８】
また、本発明は、画像形成装置において、前記通信手段は、前記操作表示部に表示する前記初期画面および前記復帰時初期画面以外の各種画面のデータである画面データと、前記各種画面を前記操作表示部に表示する旨の第２表示指示とを、前記主制御部から受信し、前記表示制御手段は、前記第２表示指示に従って前記各種画面を前記操作表示部に表示することを特徴とする。
【０００９】
また、本発明は、画像形成装置において、前記通信手段は、所定状態において電源が投入された場合、前記初期画面データを要求する初期画面要求を前記主制御部に送信し、前記初期画面データと前記初期画面を前記操作表示部に表示する旨の第３表示指示とを、前記主制御部から受信し、前記表示制御手段は、前記第３表示指示に従って前記初期画面を前記操作表示部に表示することを特徴とする。
【００１０】
また、本発明は、画像形成装置において、前記所定状態は、前記操作表示部における前記入力操作を行う操作キーの押下を受け付けた状態を含むことを特徴とする。
【００１１】
また、本発明は、画像形成装置において、前記操作表示制御部は、前記画像形成装置の起動処理中に異常が発生したか否かを判断する判断手段をさらに備え、前記通信手段は、前記起動処理中に異常が発生した場合、前記初期画面データを要求する初期画面要求を前記主制御部に送信し、前記初期画面データと前記初期画面を前記操作表示部に表示する旨の第３表示指示とを、前記主制御部から受信し、前記表示制御手段は、前記第３表示指示に従って前記初期画面を前記操作表示部に表示することを特徴とする。
【００１２】
また、本発明は、画像形成装置において、前記表示制御手段は、前記第３表示指示に従って前記初期画面を前記操作表示部に表示した場合、異常が発生している旨を示す異常情報を、前記操作表示部に表示することを特徴とする。
【００１３】
また、本発明は、画像形成装置において、前記操作表示制御部は、前記操作表示部から前記異常情報を表示する旨の要求を受け付ける入出力制御手段をさらに備え、前記表示制御手段は、前記要求を受け付けた場合、前記異常情報を前記操作表示部に表示することを特徴とする。
【００１４】
また、本発明は、画像形成装置において、前記第１記憶手段は、複数の前記初期画面データを保存し、前記表示制御手段は、電源が投入された場合、前記第１記憶手段から前記複数の初期画面データを読み出して、読み出した前記複数の初期画面データのうち任意の前記初期画面データに基づいて前記操作表示部に前記初期画面を表示することを特徴とする。
【００１５】
また、本発明は、画像形成装置において、前記入出力制御手段は、前記操作表示部から前記複数の初期画面データに対応する初期画面のうちいずれの初期画面を表示するかを指定する選択操作を受け付け、前記表示制御手段は、電源が投入された場合、前記第１記憶手段から前記複数の初期画面データを読み出して、読み出した前記複数の初期画面データのうち、前記選択操作により指定された前記初期画面に対応する前記初期画面データを選択して、選択した前記初期画面データに基づいて前記操作表示部に前記初期画面を表示することを特徴とする。
【００１６】
また、本発明は、画像形成装置において、前記表示制御手段は、前記複数の初期画面のうち所望の前記初期画面を指定するための選択画面を前記操作表示部に表示し、前記入出力制御手段は、前記選択画面から前記選択操作を受け付けることを特徴とする。
【００１７】
また、本発明は、画像形成装置において、前記入出力制御手段は、前記操作表示部に前記選択画面を表示するための特定操作を受け付け、前記表示制御手段は、前記特定操作を受け付けた場合、前記選択画面を前記操作表示部に表示することを特徴とする。
【００１８】
また、本発明は、画像形成装置において、前記特定操作は、利用者による暗証番号の入力操作を含むことを特徴とする。
【００２０】
また、本発明は、画像形成装置において、前記通信手段は、前記復帰時初期画面データが前記第１記憶手段に保存された場合、前記通常状態から前記省エネルギー状態へ移行可能である旨を示す移行可能通知を前記主制御部に送信し、前記主制御部は、前記移行可能通知を受信し、かつ前記電源供給の停止要求を受信した場合、前記通常状態から前記省エネルギー状態に移行する制御を行うことを特徴とする。
【００２１】
また、本発明は、画像形成装置において、前記入出力制御手段は、前記画像形成装置が前記省エネルギー状態から復帰した場合に、前記操作表示部に前記復帰時初期画面を表示する旨の要求を受け付け、前記表示制御手段は、前記要求を受け付けた場合、前記復帰時初期画面を前記操作表示部に表示することを特徴とする。
【００２２】
また、本発明は、画像形成装置において、前記通信手段は、前記復帰時初期画面を表示する旨の第１表示指示を、前記主制御部から受信し、前記表示制御手段は、前記第３表示指示を受信した場合、前記復帰時初期画面を前記操作表示部に表示することを特徴とする。
【００２３】
また、本発明は、画像形成装置において、前記第１記憶手段は、さらに前記操作表示部に表示する動画データを保存し、前記操作表示制御部は、前記動画を前記操作表示部に表示する旨の第４表示指示を、前記主制御部から受信する通信手段をさらに備え、前記表示制御手段は、前記第４表示指示を受信した場合、前記第１記憶手段から前記動画データを読み出して、読み出した前記動画データに基づいて前記操作表示部に前記動画を表示することを特徴とする。
【００２４】
また、本発明は、画像形成装置において、前記通信手段は、前記第１記憶手段に保存されている前記動画データを更新する旨の更新指示と、前記操作表示部に表示する新規の動画データである新規動画データとを、前記主制御部から受信し、前記操作表示制御部は、受信した前記更新指示に従って、前記新規動画データを前記第１記憶手段に保存されている前記動画データに上書きして保存することで、前記動画データを更新する更新手段をさらに備えることを特徴とする。
【００２５】
また、本発明は、画像形成装置において、前記操作表示制御部は、前記操作表示部から、前記第１記憶手段に保存されている前記動画データの更新要求を受け付ける入出力制御手段をさらに備え、前記通信手段は、受け付けた前記更新要求を前記主制御部に送信し、前記主制御部は、前記更新要求を前記操作表示制御部から受信する受信手段と、前記更新要求を受信した場合、ネットワークを介して前記新規動画データを取得するデータ取得手段と、取得した前記新規動画データと、前記更新指示とを、前記操作表示制御部に送信する送信手段と、をさらに備えることを特徴とする。
【００２６】
また、本発明は、画像形成装置において、前記主制御部は、前記第１記憶手段に保存されている前記動画データを更新するタイミングを判断するタイミング判断手段と、前記動画データの更新するタイミングになった場合、ネットワークを介して前記新規動画データを取得するデータ取得手段と、取得した前記新規動画データと、前記更新指示とを、前記操作表示制御部に送信する送信手段と、をさらに備えることを特徴とする。
【００２７】
また、本発明は、画像形成装置において、前記主制御部は、前記画像形成装置に対して着脱可能であって、前記新規動画データを保存する不揮発性の記憶媒体である第４記憶手段と、前記第４記憶手段が画像形成装置に装着された場合、前記第４記憶手段から前記新規動画データを取得するデータ取得手段と、取得した前記新規動画データと、前記更新指示とを、前記操作表示制御部に送信する送信手段と、をさらに備えることを特徴とする。
【００２８】
また、本発明は、画像形成装置の全体制御を行う主制御部と、情報を表示して利用者から入力操作が行われる操作表示部の制御を行う操作表示制御部とを備えた画像形成装置における前記操作表示制御部で実行される表示処理方法あって、電源が投入された後に最初に前記操作表示部に表示する初期画面のデータである初期画面データを保存する不揮発性の記憶媒体である第１記憶手段と、起動処理で使用されるブート処理データを保存する不揮発性の記憶媒体である第２記憶手段を備え、電源が投入された場合、前記第２記憶手段から前記ブート処理データを読み出して、起動処理を行う第１処理制御ステップと、電源が投入された場合、前記第１記憶手段から前記初期画面データを読み出して、読み出した前記初期画面データに基づいて前記操作表示部に前記初期画面を表示する第１表示制御ステップと、利用者により電源キーを押下されることで、前記画像形成装置への電源供給の停止操作を受け付けた場合、または前記画像形成装置に対する最後の操作から一定時間経過した場合、前記画像形成装置に関する情報である機器情報を、前記画像形成装置の内部から取得する機器情報取得ステップと、前記機器情報を取得した場合、取得した前記機器情報に基づいて、前記操作表示部に表示する復帰時初期画面のデータである復帰時初期画面データを生成し、生成した前記復帰時初期画面データを前記第１記憶手段に保存する画面生成ステップと、前記復帰時初期画面データが前記第１記憶手段に保存された場合、電源供給の停止要求を前記主制御部に送信する第１送信ステップと、利用者により電源キーを押下されることで、前記画像形成装置への電源供給の開始操作を受け付けた場合、または前記画像形成装置に対する所定の操作を受け付けた場合、電源供給の開始要求を前記主制御部に送信する第２送信ステップと、電源供給の停止要求を受信した前記主制御部の制御により、前記画像形成装置が、前記画像形成装置の全部の部位に電力供給する状態である通常状態から、前記画像形成装置の一部の部位に電力供給する状態である省エネルギー状態に移行した後、電源供給の開始要求を受信した前記主制御部の制御により、前記画像形成装置が、前記省エネルギー状態から前記通常状態に復帰した場合、前記第２記憶手段から前記ブート処理データを読み出して、起動処理を行う第２処理制御ステップと、前記画像形成装置が、前記省エネルギー状態から前記通常状態に復帰した場合、前記第１記憶手段から前記復帰時初期画面データを読み出して、読み出した前記復帰時初期画面データに基づいて前記操作表示部に前記復帰時初期画面を表示する第２表示制御ステップと、を含むことを特徴とする。
【００２９】
また、本発明は、請求項２２に記載の方法をコンピュータに実行させるプログラムである。
【発明の効果】
【００３０】
本発明によれば、初期画面の表示までの起動時間を短縮して、利用者が操作可能となるまでの待ち時間を低減することができるという効果を奏する。
【００３１】
また、本発明によれば、省エネルギー状態から通常状態に復帰した際に表示される復帰時初期画面により機器の状態を把握でき、利用者の操作性が向上し、かつ復帰時初期画面の表示までの起動時間を短縮して、利用者が操作可能となるまでの待ち時間を低減することができる。
【００３２】
また、本発明によれば、動画の表示までの時間を短縮して、機能性を向上させることができる。
【発明を実施するための最良の形態】
【００３３】
以下に添付図面を参照して、この発明にかかる画像形成装置、表示処理方法、および表示処理プログラムの最良な実施の形態を詳細に説明する。以下の実施の形態では、画像形成装置を、コピー、ファックス、プリンタなどの複数の機能を一つの筐体に収納した複合機（ＭＦＰ：Ｍｕｌｔｉ  Ｆｕｎｃｔｉｏｎ  Ｐｅｒｉｐｈｅｒａｌｓ）に適用した例を示すが、これに限定されるものではなく、設定を行うための初期画面等の各種画面や動画の表示が可能なもの、例えば、表示機能を備えた複写機、ファクシミリ装置、スキャナ装置等に本発明を適用することができる。
【００３４】
（実施の形態１）
図１は、実施の形態１にかかる複合機のハードウェア構成を示すブロック図である。図１に示すように、複合機１００は、主制御部１０２と、スキャナ部１０３と、プロッタ部１０４と、画像処理部１０５と、Ｉ／Ｏ（Ｉｎｐｕｔ／Ｏｕｔｐｕｔ）制御部１０６と、操作部制御部１０７と、電源制御部１０８とを主に備えており、上記のような各部を組み合わせることで機能を実現している。
【００３５】
スキャナ部１０３と、プロッタ部１０４と、画像処理部１０５と、Ｉ／Ｏ制御部１０６と、操作部制御部１０７と、電源制御部１０８の各部は、通信制御線１１１によって、主制御部１０２に接続されている。また、プロッタ部１０４およびスキャナ部１０３は、画像バスにより画像処理部１０５に接続されている。
【００３６】
主制御部１０２は、各部を制御するシステム制御機能、および各部との通信を制御するネットワーク通信制御機能を実現することで、複合機１００の全体制御を行うものである。具体的には、主制御部１０２は、通信制御線１１１により上記各部に対してコマンドを送信して、上記各部の制御を行うことで複合機１００の機能を実現している。
【００３７】
スキャナ部１０３は、光学系、走行体、該走行体を駆動するモータ等から構成されており、載置された原稿の原稿面を走査し、画像データを取り込むものである。
【００３８】
プロッタ部１０４は、作像部、定着部、および紙搬送部等の組み合わせにより用紙等の記録媒体に画像を印刷するプリント機能を実現するものである。
【００３９】
画像処理部１０５は、スキャナ部１０３により取り込んだ画像データや通信制御線１１１を介して受信した画像データに対して、各種画像処理を実施するものである。
【００４０】
Ｉ／Ｏ制御部１０６は、スキャナ部１０３やプロッタ部１０４の各部の信号制御を行うものである。
【００４１】
操作部制御部１０７は、利用者からの入力操作を受け付ける入力受付機能、および利用者に対して種々の情報を表示する表示機能等を備えるものであり、詳細は後述する。
【００４２】
電源制御部１０８は、上記の各部が消費するＤＣ電力をそれぞれ各部に供給するものである。
【００４３】
次に、操作部制御部１０７の詳細について説明する。図２は、実施の形態１にかかる複合機における操作部制御部のハードウェア構成を示すブロック図である。図２に示すように、操作部制御部１０７は、ＣＰＵ（Ｃｅｎｔｒａｌ  Ｐｒｏｃｅｓｓｉｎｇ  Ｕｎｉｔ）２０１と、ＮＯＲ型フラッシュメモリ２０２と、ＲＡＭ（Ｒａｎｄｏｍ  Ａｃｃｅｓｓ  Ｍｅｍｏｒｙ）２０３と、ＮＡＮＤ型フラッシュメモリ２０４と、通信制御部２０５と、ＬＣＤ（Ｌｉｑｕｉｄ  Ｃｒｙｓｔａｌ  Ｄｉｓｐｌａｙ）コントローラ２０６と、ＬＣＤパネル２０７と、Ｉ／Ｏ制御部２１０と、ＬＥＤ（Ｌｉｇｈｔ  Ｅｍｉｔｔｉｎｇ  Ｄｉｏｄｅ）２１１と、ＫＥＹ２０８と、タッチパネル２０９とを主に備えている。
【００４４】
ＣＰＵ２０１は、操作部制御部１０７中で各部の制御やデータの計算から加工を行う中枢部分であり、操作部制御部１０７全体の制御を行うものである。また、ＣＰＵ２０１は、後述するＮＯＲ型フラッシュメモリ２０２に保存されているブート処理データ（プログラム）を実行する装置であって、主制御部１０２や記録媒体からデータを受け取り、演算、加工した後に、情報を表示したり記憶媒体に記憶する。
【００４５】
ＮＯＲ型フラッシュメモリ２０２は、高速ランダムアクセスが可能であり、１バイト単位で読み書きできる不揮発性の記録媒体であって、電源が投入された後に最初に実行される起動処理で使用されるブート処理データ（プログラム）が保存されている。
【００４６】
ＲＡＭ２０３は、ＣＰＵ２０１のプログラムの実行、画像蓄積、編集を行うために利用される揮発性メモリであり、電源を切ると内容が失われてしまう。また、本実施の形態において、ＲＡＭ２０３は、後述するＮＡＮＤ型フラッシュメモリ２０４に保存されている初期画面データ等の画面データを一時的に記憶する。
【００４７】
ＮＡＮＤ型フラッシュメモリ２０４は、データの高速な消去や書き込みが可能であるため大容量化に適しているが、ブロック単位でのみ読み書きが可能な不揮発性の記録媒体であって、各部の初期値や設定値を保存するものである。また、ＮＡＮＤ型フラッシュメモリ２０４は、電源が投入された後にＬＣＤパネル２０７に最初に表示される初期画面のデータである初期画面データが保存されている。
【００４８】
通信制御部２０５は、主制御部１０２とのインターフェースであり、主制御部１０２とで種々のデータの送受信処理を行うものである。
【００４９】
ＬＣＤコントローラ２０６は、初期画面等の各種画面を表示するＬＣＤパネル２０７に接続されており、ＣＰＵ２０１からの指示に従って、ＲＡＭ２０３に記憶された初期画面等の画面データを、ＬＣＤパネル２０７の信号規定に合わせて出力し、ＬＣＤパネル２０７の表示処理を行うものである。
【００５０】
Ｉ／Ｏ制御部２１０は、電流を流すと発光しタッチパネル２０９の照明となるＬＥＤ２１１と、利用者が押下することにより入力操作を受け付けるボタンであるＫＥＹ２０８と、利用者が押下することにより入力操作を受け付けるパネルであるタッチパネル２０９とに接続されており、ＫＥＹ２０８やタッチパネル２０９から受け付けた入力操作をＣＰＵ２０１に送信するものである。なお、この入力操作を受信したＣＰＵ２０１は、その受信情報に基づいて操作部の制御を行うことになる。
【００５１】
次に、ＣＰＵ２０１について詳細に説明する。図３は、実施の形態１にかかる操作部制御部におけるＣＰＵによって実行される制御プログラムのモジュール構成を示すブロック図である。図３では、ＣＰＵによって制御プログラムが主記憶装置上に読み出されて制御部２０１として実行された状態を示している。図３に示すように、制御部２０１は、処理制御部２５１と、表示制御部２５２と、通信部２５３とを主に備えている。
【００５２】
処理制御部２５１は、複合機１００の電源が投入された場合に、ＮＯＲ型フラッシュメモリ２０２からブート処理データを読み出して、ブート処理データに記述されている各種情報に従って、デバイスの初期化やＯＳ（オペレーティングシステム）の起動等の起動処理を実行するものである。
【００５３】
表示制御部２５２は、複合機１００の電源が投入された場合、ＮＡＮＤ型フラッシュメモリ２０４から初期画面データを読み出して、読み出した初期画面データをＲＡＭ２０３に展開して保存し、保存した初期画面データをＲＡＭ２０３から読み出し、読み出した初期画面データに基づいてＬＣＤパネル２０７に初期画面を表示するものである。また、表示制御部２５２は、後述する通信部２５３により主制御部１０２から受信した画面表示指示に従って、同じく受信した各種画面をＬＣＤパネル２０７に表示する。
【００５４】
通信部２５３は、ＬＤＣパネル２０７に表示する初期画面以外の各種画面のデータである画面データと、該各種画面をＬＣＤパネル２０７に表示する旨の画面表示指示とを、主制御部１０２から受信するものである。
【００５５】
次に、以上のように構成された複合機１００における操作部制御部１０７による画面表示処理について説明する。図４は、実施の形態１にかかる操作部制御部による画面表示処理の手順を示すフローチャートである。
【００５６】
まず、複合機１００の電源が投入されると、制御部２０１は、ＮＯＲ型フラッシュメモリ２０２に保存されたプログラムに従い処理を開始する。すなわち、処理制御部２５１は、ＮＯＲ型フラッシュメモリ２０２からブート処理データを読み出して、起動処理を実行する（ステップＳ１０）。
【００５７】
次に、表示制御部２５２は、ＮＡＮＤ型フラッシュメモリ２０４から初期画面データを読み出し（ステップＳ１１）、ＲＡＭ２０３に展開して保存する。ここで、展開とは、圧縮されてＮＡＮＤ型フラッシュメモリ２０４に保存されている初期画面データを伸長すること等が該当する。表示制御部２５２は、ＲＡＭ２０３に初期画面データの展開保存が終了したか否かの判断をする（ステップＳ１２）。初期画面データの展開保存が終了していない場合（ステップＳ１２：Ｎｏ）、表示制御部２５２は、展開保存が終了するまで処理を繰り返す。
【００５８】
一方、初期画面データの展開保存が終了した場合（ステップＳ１２：Ｙｅｓ）、表示制御部２５２は、読み出した初期画面データに基づいてＬＣＤパネル２０７に初期画面を表示する（ステップＳ１３）。
【００５９】
次に、通信部２５３は、各種画面の画面データと画面表示指示とを受信したか否かの判断をする（ステップＳ１４）。画面データと画面表示指示とを受信していない場合（ステップＳ１４：Ｎｏ）、受信するまで待機する。
【００６０】
一方、画面データと画面表示指示とを主制御部１０２から受信した場合（ステップＳ１４：Ｙｅｓ）、表示制御部２５２は、受信した画面表示指示に従って各種画面をＬＣＤパネル２０７に表示する（ステップＳ１５）。そして、次の画面データと画面表示指示とを受信したか否かの判断をするため、ステップＳ１４の処理へ戻る。
【００６１】
このように、実施の形態１にかかる複合機１００の操作部制御部１０７は、ブート処理データや初期画面データが、主制御部１０２の記憶媒体ではなく、操作部制御部１０７のＮＯＲ型フラッシュメモリ２０２やＮＡＮＤ型フラッシュメモリ２０４に保存されていることで、複合機１００の電源が投入された場合に、ＮＯＲ型フラッシュメモリ２０２からブート処理データを読み出して操作部制御部１０７の起動処理を行い、ＮＡＮＤ型フラッシュメモリ２０４から初期画面データを読み出して初期画面を表示するため、操作部制御部１０７から主制御部１０２にブート処理データおよび初期画面データの要求および受信という送受信処理を行う必要がない。従って、初期画面の表示までの起動時間を短縮して、利用者が操作可能となるまでの待ち時間を低減することができる。
【００６２】
なお、従来の複合機において、ＮＡＮＤ型フラッシュメモリなどの不揮発性メモリからのデータを読み出して展開した場合、ＤＭＡ（Ｄｉｒｅｃｔ  Ｍｅｍｏｒｙ  Ａｃｃｅｓｓ）モジュールの使用により、１００ＭＢ（メガバイト）程度の容量を数秒で展開可能であるが、操作可能となる初期画面においても主制御部１０２からの指示により表示を行っているため、主制御部１０２自体の起動時間やデータ通信時間が影響し、電源投入時から初期画面の表示までに数１０秒程度を要していた。従って、この従来の複合機と比較すると、本発明は上述したように、初期画面の表示までの起動時間を短縮して、利用者が操作可能となるまでの待ち時間を低減できることになる。
【００６３】
また、従来の複合機では、省エネルギー状態である省エネルギーモード（以下、「省エネモード」という）を有している場合に、該省エネモードに設定されていると、ＲＡＭなどの揮発性メモリの電源を切らずに、表示する画面データを保持し、復帰時には該揮発性メモリに保持していた画面データを使用して、画面を表示することで復帰時間の短縮を行っている。本実施の形態では、省エネモードにおいても操作部制御部１０７全体の電源を切断し、復帰時には、電源投入時と同様の処理方法で起動するようにしても、省エネモードからの復帰時間が大幅に増えることなく、かつ省エネモードの設定に従って消費電力を低減することができる。
【００６４】
（実施の形態１の変形例１）
実施の形態１の複合機における操作部制御部は、操作部制御部の不揮発性メモリに保存されたブート処理データや初期画面データを読み出して初期画面を表示する処理を行っていたが、本実施の形態では、所定状態、例えば所定の操作キーを押下された場合には、主制御部からブート処理データや初期画面データを受信して初期画面を表示するものである。なお、複合機および操作部制御部のハードウェア構成については、実施の形態１と同様であるため説明を省略する。
【００６５】
まず、ＣＰＵ３０１について詳細に説明する。図５は、実施の形態１の変形例１にかかる操作部制御部におけるＣＰＵによって実行される制御プログラムのモジュール構成を示すブロック図である。図５では、ＣＰＵによって制御プログラムが主記憶装置上に読み出されて制御部３０１として実行された状態を示している。図５に示すように、制御部３０１は、処理制御部２５１と、表示制御部２６２と、通信部２６３とを主に備えている。ここで、処理制御部２５１の構成および機能は、実施の形態１と同様であるため説明を省略する。
【００６６】
表示制御部２６２は、実施の形態１の機能に加え、後述する通信部２６３により主制御部１０２から受信した初期画面表示指示に従って、同じく受信した初期画面データに基づいてＬＣＤパネル２０７に初期画面を表示する。
【００６７】
また、表示制御部２６２は、主制御部１０２から受信した初期画面表示指示に従って初期画面をＬＣＤパネル２０７に表示した場合、異常が発生している旨を示す異常情報を、例えば文字や記号としてＬＣＤパネル２０７に表示する。このとき、表示制御部２６２は、異常情報を表示するのみであって、操作部制御部１０７の基本機能の使用に制限を与えないようにする。このように構成すると、利用者が複合機１００の異常に気付かず対応が遅れるということがなく、操作部制御部１０７の異常を早期に認識して、該異常に対応することが可能となる。
【００６８】
なお、表示制御部２６２は、ＬＣＤパネル２０７から、Ｉ／Ｏ制御部２１０により異常情報を表示する旨の要求を受け付けた場合にのみ、異常情報をＬＣＤパネル２０７に表示するように構成してもよい。このように構成することによって、異常情報の表示の対象者をサービスマン等のシステム管理者にのみ行うことができ、通常の利用者の複合機１００利用に影響を与えることがなくなるとともに、利用者の複合機１００に対する不信感を招くことがなくなり、さらに、システム管理者による即時の対応によって複合機１００の機能の低下を防止できる。
【００６９】
通信部２６３は、所定状態、例えば、ＫＥＹ２０８やタッチパネル２０９の操作キーが押下されることで、主制御部１０２から受信した初期画面をＬＣＤパネル２０７に表示する旨の入力操作を受け付けた状態において、複合機１００の電源が投入された場合、初期画面データを要求する初期画面要求を主制御部１０２に送信し、初期画面データと初期画面をＬＣＤパネル２０７に表示する旨の初期画面表示指示とを、主制御部１０２から受信するものである。
【００７０】
次に、以上のように構成された複合機１００における操作部制御部１０７による画面表示処理について説明する。図６は、実施の形態１の変形例１にかかる操作部制御部による画面表示処理の手順を示すフローチャートである。
【００７１】
まず、通信部２６３は、ＫＥＹ２０８やタッチパネル２０９の操作キーが押下されているか否かの判断をする（ステップＳ２０）。操作キーが押下されていない状態で（ステップＳ２０：Ｎｏ）、複合機１００の電源が投入されると、制御部３０１は、ＮＯＲ型フラッシュメモリ２０２に保存されたプログラムに従い処理を開始する。すなわち、処理制御部２５１は、ＮＯＲ型フラッシュメモリ２０２からブート処理データを読み出して、起動処理を実行する（ステップＳ２１）。
【００７２】
次に、表示制御部２６２は、ＮＡＮＤ型フラッシュメモリ２０４から初期画面データを読み出し（ステップＳ２２）、ＲＡＭ２０３に展開して保存する。表示制御部２６２は、ＲＡＭ２０３に初期画面データの展開保存が終了したか否かの判断をする（ステップＳ２３）。初期画面データの展開保存が終了していない場合（ステップＳ２３：Ｎｏ）、表示制御部２６２は、展開保存が終了するまで処理を繰り返す。
【００７３】
一方、初期画面データの展開保存が終了した場合（ステップＳ２３：Ｙｅｓ）、表示制御部２６２は、読み出した初期画面データに基づいてＬＣＤパネル２０７に初期画面を表示する（ステップＳ２４）。
【００７４】
ステップＳ２０に戻って、操作キーが押下された状態で（ステップＳ２０：Ｙｅｓ）、複合機１００の電源が投入されると、操作キーの押下により主制御部１０２から受信した初期画面をＬＣＤパネル２０７に表示する旨の入力操作を受け付けた状態となるため、通信部２６３は、主制御部１０２に初期画面データを要求する初期画面要求を送信する（ステップＳ２５）。
【００７５】
次に、通信部２６３は、初期画面データと初期画面表示指示とを主制御部１０２から受信したか否かの判断をする（ステップＳ２６）。初期画面データと初期画面表示指示とを受信していない場合（ステップＳ２６：Ｎｏ）、受信するまで待機する。
【００７６】
初期画面データと初期画面表示指示とを受信した場合（ステップＳ２６：Ｙｅｓ）、表示制御部２６２は、受信した初期画面表示指示に従って、受信した初期画面データに基づいてＬＣＤパネル２０７に初期画面を表示する（ステップＳ２７）。
【００７７】
そして、表示制御部２６２は、操作部制御部の処理のみにより初期画面を表示していないため、何らかの異常が発生していると判断し、異常が発生している旨を示す異常情報をＬＣＤパネル２０７に表示する（ステップＳ２８）。
【００７８】
次に、通信部２６３は、各種画面の画面データと画面表示指示とを主制御部１０２から受信したか否かの判断をする（ステップＳ２９）。画面データと画面表示指示とを受信していない場合（ステップＳ２９：Ｎｏ）、受信するまで待機する。
【００７９】
一方、画面データと画面表示指示とを受信した場合（ステップＳ２９：Ｙｅｓ）、表示制御部２６２は、受信した画面表示指示に従って各種画面をＬＣＤパネル２０７に表示する（ステップＳ３０）。そして、次の画面データと画面表示指示とを受信したか否かの判断をするため、ステップＳ２９の処理へ戻る。
【００８０】
このように、実施の形態１の変形例１にかかる複合機１００の操作部制御部１０７は、操作キーが押下された場合は、主制御部１０２から受信したデータにより操作部制御部１０７による初期画面と同じように初期画面を表示することができるため、ＮＡＮＤ型フラッシュメモリ２０４に初期画面データが保存されていない場合や異常があった場合でも、正常に起動処理を実行して初期画面の表示処理を行うことができる。さらに、基板実装時に、ＮＡＮＤ型フラッシュメモリ２０４に初期画面データを保存しなくても、複合機１００の組み付け完了後に主制御部１０２の指示によってＮＡＮＤ型フラッシュメモリ２０４に初期画面データを保存して、その後に操作部制御部１０７のみにより初期画面を表示可能にすることもできる。
【００８１】
（実施の形態１の変形例２）
実施の形態１の複合機における操作部制御部は、操作部制御部の不揮発性メモリに保存されたブート処理データや初期画面データを読み出して初期画面を表示する処理を行っていたが、本実施の形態では、不揮発性メモリから初期画面データを読み出している途中で異常が発生した場合には、主制御部からブート処理データや初期画面データを受信して初期画面を表示するものである。なお、複合機および操作部制御部のハードウェア構成については、実施の形態１と同様であるため説明を省略する。
【００８２】
まず、ＣＰＵ３０２について詳細に説明する。図７は、実施の形態１の変形例２にかかる操作部制御部におけるＣＰＵによって実行される制御プログラムのモジュール構成を示すブロック図である。図７では、ＣＰＵによって制御プログラムが主記憶装置上に読み出されて制御部３０２として実行された状態を示している。図７に示すように、制御部３０２は、処理制御部２５１と、表示制御部２６２と、通信部２７３と、判断部２７４とを主に備えている。ここで、処理制御部２５１の構成および機能は実施の形態１と同様であり、表示制御部２６２の構成および機能は実施の形態１の変形例１と同様であるため説明を省略する。
【００８３】
判断部２７４は、複合機１００の起動処理中、具体的には、ＮＡＮＤ型フラッシュメモリ２０４から初期画面データの読み出し中に、異常が発生したか否かを判断するものである。異常を検知したか否かの判断方法として、例えば時間管理によるものが挙げられる。すなわち、判断部２７４は、予め記憶された初期画面の表示が完了する時間を経過しても表示制御部２６２がＮＡＮＤ型フラッシュメモリ２０４から初期画面データの読み出しを行っている場合は、異常が発生したと判断する。
【００８４】
通信部２７３は、実施の形態１の変形例１の機能に加え、起動処理中に異常が発生した場合、初期画面データを要求する初期画面要求を主制御部１０２に送信し、初期画面データと初期画面をＬＣＤパネル２０７に表示する旨の初期画面表示指示とを、主制御部１０２から受信するものである。
【００８５】
次に、以上のように構成された複合機１００における操作部制御部１０７による画面表示処理について説明する。図８は、実施の形態１の変形例２にかかる操作部制御部による画面表示処理の手順を示すフローチャートである。
【００８６】
まず、通信部２７３は、ＫＥＹ２０８やタッチパネル２０９の操作キーが押下されているか否かの判断をする（ステップＳ４０）。操作キーが押下されていない状態で（ステップＳ４０：Ｎｏ）、複合機１００の電源が投入されると、制御部２０１は、ＮＯＲ型フラッシュメモリ２０２に保存されたプログラムに従い処理を開始する。すなわち、処理制御部２５１は、ＮＯＲ型フラッシュメモリ２０２からブート処理データを読み出して、起動処理を実行する（ステップＳ４１）。
【００８７】
次に、表示制御部２６２は、ＮＡＮＤ型フラッシュメモリ２０４から初期画面データを読み出し（ステップＳ４２）、ＲＡＭ２０３に展開して保存する。そして、判断部２７４は、初期画面データの読み出し中に異常が発生しているか否かの判断をする（ステップＳ４３）。異常が発生していないと判断された場合（ステップＳ４３：Ｎｏ）、表示制御部２６２は、ＲＡＭ２０３に初期画面データの展開保存が終了したか否かの判断をする（ステップＳ４４）。初期画面データの展開保存が終了していない場合（ステップＳ４４：Ｎｏ）、表示制御部２６２は、展開保存が終了するまで処理を繰り返す。
【００８８】
一方、初期画面データの展開保存が終了した場合（ステップＳ４４：Ｙｅｓ）、表示制御部２６２は、読み出した初期画面データに基づいてＬＣＤパネル２０７に初期画面を表示する（ステップＳ４５）。
【００８９】
ステップＳ４０に戻って、操作キーが押下された状態で（ステップＳ４０：Ｙｅｓ）、複合機１００の電源が投入されると、操作キーの押下により主制御部１０２から受信した初期画面をＬＣＤパネル２０７に表示する旨の入力操作を受け付けた状態となるため、通信部２７３は、主制御部１０２に初期画面データを要求する初期画面要求を送信する（ステップＳ４６）。
【００９０】
また、ステップＳ４３に戻って、判断部２７４により異常が発生していると判断された場合（ステップＳ４３：Ｙｅｓ）、上記と同様に、通信部２７３は、主制御部１０２に初期画面データを要求する初期画面要求を送信する（ステップＳ４６）。
【００９１】
次に、通信部２７３による初期画面データと初期画面表示指示とを主制御部１０２から受信したか否かの判断から、表示制御部２６２による画面表示指示に従った各種画面の表示までの処理（ステップＳ４７〜ステップＳ５１）は、実施の形態１の変形例１の処理と同様であるため説明を省略する（ステップＳ２６〜ステップＳ３０参照）。
【００９２】
このように、実施の形態１の変形例２にかかる複合機１００の操作部制御部１０７は、表示制御部２６２によるＮＡＮＤ型フラッシュメモリ２０４から初期画面データの読み出し中に異常が発生した場合は、主制御部１０２から受信したデータにより操作部制御部１０７による初期画面と同じように初期画面を表示することができるため、異常発生時においても複合機１００を通常に利用することができ、異常発生時における複合機１００の機能の低下を防止することができる。
【００９３】
なお、実施の形態１の変形例１および変形例２では、異常情報をＬＣＤパネル２０７に表示することで異常情報を利用者に通知しているが、これに限定されることはなく、異常情報を利用者に知らせることができればどのような通知方法でもよい。従って、例えば、音声やランプの点灯等により異常情報を通知してもよい。
【００９４】
（実施の形態２）
実施の形態１の複合機における操作部制御部は、操作部制御部の不揮発性メモリに保存されたブート処理データや初期画面データを読み出して初期画面を表示する処理を行っていたが、本実施の形態では、不揮発性メモリに複数の初期画面データが保存されており、利用者の要求に応じた初期画面を表示するものである。なお、ＮＡＮＤ型フラッシュメモリ２０４以外の複合機および操作部制御部のハードウェア構成については、実施の形態１と同様であるため説明を省略する。以下では、まずＮＡＮＤ型フラッシュメモリ２０４について説明する。
【００９５】
ＮＡＮＤ型フラッシュメモリ２０４は、機能および構成は実施の形態１と同様であるが、電源が投入された後にＬＣＤパネル２０７に最初に表示される初期画面のデータである初期画面データが複数保存されている。ここで、例えば、ＮＡＮＤ型フラッシュメモリ２０４に、コピー設定画面やファクシミリ設定画面などを初期画面として保存すると、コピー機能の利用頻度が多い複合機においては、電源投入時の初期画面にコピー設定画面を表示し、ファクシミリ機能の利用頻度が多い複合機においては、電源投入時の初期画面にファクシミリ設定画面を表示できるようになる。これにより、複合機ごとに初期画面を変更することができ、それぞれの利用者の所望する設定画面等を初期画面として表示することができ、複合機の利便性を向上させることができる。
【００９６】
次に、ＣＰＵ４０１について詳細に説明する。図９は、実施の形態２にかかる操作部制御部におけるＣＰＵによって実行される制御プログラムのモジュール構成を示すブロック図である。図９では、ＣＰＵによって制御プログラムが主記憶装置上に読み出されて制御部４０１として実行された状態を示している。図９に示すように、制御部４０１は、処理制御部２５１と、表示制御部２８２と、通信部２８３とを主に備えている。ここで、処理制御部２５１の構成および機能については、実施の形態１と同様であるため説明を省略する。
【００９７】
通信部２８３は、ＬＤＣパネル２０７に表示する初期画面以外の各種画面のデータである画面データと、該各種画面をＬＣＤパネル２０７に表示する旨の画面表示指示とを、主制御部１０２から受信するものである。例えば、本実施の形態では、通信部２８３は、ＮＡＮＤ型フラッシュメモリ２０４に保存されている複数の初期画面のうち、複合機１００の電源投入時に最初に表示される所望の初期画面を指定するための選択画面のデータである選択画面データと、該選択画面をＬＣＤパネル２０７に表示する旨の選択画面表示指示とを、主制御部１０２から受信するものである。
【００９８】
表示制御部２８２は、通信部２８３により主制御部１０２から受信した選択画面表示指示に従って、同じく受信した選択画面をＬＣＤパネル２０７に表示するものである。そして、この選択画面が表示されると、Ｉ／Ｏ制御部２１０により、複数の初期画面データに対応する初期画面のうちいずれの初期画面を電源投入時に表示するかを指定する選択操作を利用者からの入力操作よって受け付けることになる。
【００９９】
また、表示制御部２８２は、選択画面を任意のタイミングで表示することで、電源投入時に表示する初期画面を任意のタイミングで変更することが可能な構成となっている。従って、例えば、省エネモードの移行時間設定や用紙設定といった複合機における機能の設定の一部として追加して、初期画面の設定を変更することが可能となる。このように構成すると、複合機の利用目的に変化が生じた場合でも、その変化に対応して複合機における初期画面を表示することができる。
【０１００】
ここで、選択画面について説明する。図１０は、選択画面の一例を示す説明図である。また、図１１は、選択画面の他の一例を示す説明図である。図１０に示すように、選択画面は、メニュー画面やコピー設定画面等それぞれの画面イメージをサムネイル表示し、その中から電源投入時にＬＣＤパネル２０７に表示する初期画面を選択する構成とすることができる。また、図１１に示すように、メニュー画面やコピー設定画面等それぞれの画面タイトルより選択する構成としてもよい。このように画面タイトルより選択する構成とした場合には、他の状態（例えば省エネモード等）から起動（復帰）させた場合の初期画面についても併せて設定可能な構成にすることもでき、利用者はいずれの状態でどの初期画面を設定するかの選択がし易くなり、設定の際の混乱を抑えて利便性を向上させることができる。
【０１０１】
また、表示制御部２８２は、複合機１００の電源が投入された場合、ＮＡＮＤ型フラッシュメモリ２０４から複数の初期画面データを読み出して、読み出した複数の初期画面データのうち、Ｉ／Ｏ制御部２１０により、受け付けた選択操作により指定された初期画面に対応する初期画面データを選択して、選択した前記初期画面データに基づいてＬＣＤパネル２０７に初期画面を表示する。
【０１０２】
ここで、表示制御部２８２は、Ｉ／Ｏ制御部２１０により、選択画面を表示するための特定操作、例えば暗証番号や利用者に固有の識別情報である利用者ＩＤなどの入力操作を受け付けた場合にのみ、選択画面をＬＣＤパネル２０７に表示する構成にしてもよい。このように構成すると、通常、複合機は、サービスマン等の特定の操作者のみが設定および閲覧できる特殊モードを備えているため、この特殊モードで初期画面を設定する構成とすることができ、この場合は簡単な構成で本機能を達成することができる。
【０１０３】
また、初期画面の設定変更時には、ＮＡＮＤ型フラッシュメモリ２０４の保存データの書き換えにより対応する構成としてもよく、この場合、設定自体は複雑化するが、ＮＡＮＤ型フラッシュメモリ２０４の使用容量を低減しコストを軽減することが可能となる。
【０１０４】
次に、以上のように構成された複合機１００における操作部制御部１０７による画面表示処理について説明する。図１２は、実施の形態２にかかる操作部制御部による画面表示処理の手順を示すフローチャートである。
【０１０５】
まず、複合機１００の電源が投入されると、制御部４０１は、ＮＯＲ型フラッシュメモリ２０２に保存されたプログラムに従い処理を開始する。すなわち、処理制御部２５１は、ＮＯＲ型フラッシュメモリ２０２からブート処理データを読み出して、起動処理を実行する（ステップＳ６０）。
【０１０６】
次に、表示制御部２８２は、ＮＡＮＤ型フラッシュメモリ２０４から複数の初期画面データを読み出し（ステップＳ６１）、ＲＡＭ２０３に展開して保存する。表示制御部２８２は、ＲＡＭ２０３に複数の初期画面データの展開保存が終了したか否かの判断をする（ステップＳ６２）。複数の初期画面データの展開保存が終了していない場合（ステップＳ６２：Ｎｏ）、表示制御部２８２は、展開保存が終了するまで処理を繰り返す。
【０１０７】
一方、複数の初期画面データの展開保存が終了した場合（ステップＳ６２：Ｙｅｓ）、表示制御部２８２は、読み出した複数の初期画面データのうち、選択操作により指定された初期画面データに基づいてＬＣＤパネル２０７に初期画面を表示する（ステップＳ６３）。
【０１０８】
次に、通信部２８３は、各種画面の画面データと画面表示指示とを受信したか否かの判断をする（ステップＳ６４）。画面データと画面表示指示とを受信していない場合（ステップＳ６４：Ｎｏ）、受信するまで待機する。
【０１０９】
一方、画面データと画面表示指示とを主制御部１０２から受信した場合（ステップＳ６４：Ｙｅｓ）、表示制御部２８２は、受信した画面表示指示に従って各種画面をＬＣＤパネル２０７に表示する（ステップＳ６５）。そして、次の画面データと画面表示指示とを受信したか否かの判断をするため、ステップＳ６４の処理へ戻る。
【０１１０】
このように、実施の形態２にかかる複合機１００の操作部制御部１０７は、ブート処理データや初期画面データが、主制御部１０２の記憶媒体ではなく、操作部制御部１０７のＮＯＲ型フラッシュメモリ２０２やＮＡＮＤ型フラッシュメモリ２０４に保存されていることで、複合機１００の電源が投入された場合に、ＮＯＲ型フラッシュメモリ２０２からブート処理データを読み出して操作部制御部１０７の起動処理を行い、ＮＡＮＤ型フラッシュメモリ２０４から初期画面データを読み出して初期画面を表示するため、操作部制御部１０７から主制御部１０２にブート処理データおよび初期画面データの要求および受信という送受信処理を行う必要がない。従って、初期画面の表示までの起動時間を短縮して、利用者が操作可能となるまでの待ち時間を低減することができる。
【０１１１】
また、実施の形態２にかかる操作部制御部１０７のＮＡＮＤ型フラッシュメモリ２０４には、複数の初期画面データが保存されており、利用者の要求に応じた初期画面を表示するため、複合機それぞれの電源投入時に、利用者の要求に応じた所望の初期画面を表示することができ、複合機の利便性を向上させることができる。また、選択画面を任意のタイミングで表示することで初期画面を任意に変更することが可能となっているため、利用状況に応じて初期画面を変更することができ、複合機の利便性をより向上させることができる。さらに、選択画面により初期画面を選択（指定）しているので、利用者の操作性を向上させることができる。また、特定操作があった場合にのみ選択画面を表示して初期画面を変更できる構成とすると、複雑な構成および処理の追加を行うことなく初期画面の設定を行うことができる。
【０１１２】
（実施の形態３）
実施の形態１の複合機における操作部制御部は、操作部制御部の不揮発性メモリに保存されたブート処理データや初期画面データを読み出して初期画面を表示する処理を行うものであった。これに対し、本実施の形態では、不揮発性メモリに省エネルギー状態から復帰した場合に表示する復帰時初期画面データが保存されており、省エネルギー状態から復帰した場合に該復帰時初期画面を表示するものである。なお、主制御部１０２、ＮＡＮＤ型フラッシュメモリ２０４、およびＩ／Ｏ制御部２１０以外の複合機および操作部制御部のハードウェア構成については、実施の形態１と同様であるため説明を省略する（図１、２参照）。以下では、まず、主制御部１０２、ＮＡＮＤ型フラッシュメモリ２０４、およびＩ／Ｏ制御部２１０について説明する。
【０１１３】
主制御部１０２は、操作部制御部１０７から、複合機１００の状態を通常状態から省エネルギー状態に移行できる旨を知らせる移行可能通知を受信し、かつ電源供給の停止要求を受信した場合、電源制御部１０８によって複合機１００を通常状態から省エネルギー状態に移行する制御を行うものである。また、主制御部１０２は、操作部制御部１０７から電源供給の開始要求を受信した場合、電源制御部１０８によって複合機１００を省エネルギー状態から通常状態に復帰する制御を行うものである。
【０１１４】
ここで、省エネルギー状態とは、複合機が、複合機の一部の部位に電力供給する状態をいい、使用していない構成部位に電力供給を停止して、エネルギーを節約する状態である。また、通常状態とは、複合機が、複合機の全部の部位に電力供給する状態をいう。
【０１１５】
ＮＡＮＤ型フラッシュメモリ２０４は、実施の形態１における構成および機能に加え、後述する画面生成部３５５により生成された復帰時初期画面のデータである復帰時初期画面データが保存されている。復帰時初期画面については後述する。
【０１１６】
Ｉ／Ｏ制御部２１０は、実施の形態１における構成および機能に加え、利用者により電源キー（不図示）を押下されることで、複合機１００への電源供給の開始操作および停止操作を受け付け、受け付けた開始操作および停止操作ＣＰＵ５０１に送信するものである。
【０１１７】
次に、ＣＰＵ５０１について詳細に説明する。図１３は、実施の形態３にかかる操作部制御部におけるＣＰＵによって実行される制御プログラムのモジュール構成を示すブロック図である。図１３では、ＣＰＵによって制御プログラムが主記憶装置上に読み出されて制御部５０１として実行された状態を示している。図１３に示すように、制御部５０１は、処理制御部３５１と、表示制御部３５２と、通信部３５３と、機器情報取得部３５４と、画面生成部３５５とを主に備えている。
【０１１８】
機器情報取得部３５４は、Ｉ／Ｏ制御部２１０によって、電源供給の停止操作を受け付けた場合または複合機１００に対する最後の操作から一定時間経過した場合、複合機１００に関する情報である機器情報を、複合機１００の内部から取得するものである。ここで、機器情報とは、例えば、複合機１００の周辺機器構成や、トナー残量などをいう。
【０１１９】
画面生成部３５５は、機器情報取得部３５４により機器情報を取得した場合、取得した機器情報に基づいて、ＬＣＤパネル２０７に表示する復帰時初期画面のデータである復帰時初期画面データを生成し、生成した復帰時初期画面データをＮＡＮＤ型フラッシュメモリ２０４に保存するものである。ここで、復帰時初期画面とは、機器情報に含まれている複合機１００の周辺機器構成やトナー残量等と含めた画面であって、複合機１００の状態が省エネルギー状態から通常状態に復帰した際に、利用者が種々の処理を指示する際に有用となる情報が含められた画面である。
【０１２０】
処理制御部３５１は、複合機１００が省エネルギー状態から通常状態に復帰した場合、ＮＯＲ型フラッシュメモリ２０２からブート処理データを読み出して、ブート処理データに記述されている各種情報に従って、デバイスの初期化やＯＳの起動等の起動処理を実行するものである。
【０１２１】
表示制御部３５２は、複合機１００が省エネルギー状態から通常状態に復帰した場合、ＮＡＮＤ型フラッシュメモリ２０４から復帰時初期画面データを読み出して、読み出した復帰時初期画面データをＲＡＭ２０３に展開して保存し、保存した復帰時初期画面データに基づいてＬＣＤパネル２０７に復帰時初期画面を表示するものである。
【０１２２】
通信部３５３は、復帰時初期画面データがＮＡＮＤ型フラッシュメモリ２０４に保存された場合に、複合機１００を通常状態から省エネルギー状態へ移行可能である旨を示す移行可能通知と、電源供給の停止要求とを主制御部１０２に送信するものである。また、通信部３５３は、電源供給の開始操作を受け付けた場合、または複合機１００に対する所定の操作を受け付けた場合、電源供給の開始要求を主制御部１０２に送信する。ここで、所定の操作とは、例えば、複合機１００の載置台に複写処理を行う原稿が載置された場合等、省エネルギー状態にある複合機１００が再度種々の処理を行う際に最初に受け付ける操作をいう。
【０１２３】
次に、以上のように構成された複合機１００による省エネルギー状態移行処理について説明する。図１４は、実施の形態３にかかる複合機による省エネルギー状態移行処理の手順を示すフローチャートである。なお、以下の処理は、実施の形態１の画面表示処理（図４参照）が行われた後に行われるものである。
【０１２４】
まず、Ｉ／Ｏ制御部２１０は、電源キーの押下を受け付けたか否かの判断をする（ステップＳ７０）。電源キーの押下を受け付けた場合（ステップＳ７０：Ｙｅｓ）、この電源キーの押下が利用者による省エネルギー状態への移行指示となり、ステップＳ７２に進む。
【０１２５】
一方、電源キーの押下を受け付けていない場合（ステップＳ７０：Ｎｏ）、Ｉ／Ｏ制御部２１０は、複合機１００に対する最後の操作から一定時間経過したか否かの判断をする（ステップＳ７１）。最後の操作から一定時間経過していない場合（ステップＳ７１：Ｎｏ）、ステップＳ７０に戻って処理を繰り返す。
【０１２６】
一方、最後の操作から一定時間経過した場合（ステップＳ７１：Ｙｅｓ）、機器情報取得部３５４は、複合機１００の機器情報を取得する（ステップＳ７２）。そして、画面生成部３５５は、取得した機器情報に基づいて復帰時初期画面データを生成し（ステップＳ７３）、生成した復帰時初期画面データをＮＡＮＤ型フラッシュメモリ２０４に保存する（ステップＳ７４）。
【０１２７】
次に、通信部３５３は、移行可能通知を主制御部１０２に送信する（ステップＳ７５）。さらに、通信部３５３は、電源供給の停止要求を主制御部１０２に送信する（ステップＳ７６）。そして、移行可能通知および電源供給の停止要求を受信した主制御部１０２は、電源制御部１０８によって複合機１００を通常状態から省エネルギー状態に移行する制御を行う。
【０１２８】
次に、複合機１００による省エネルギー状態復帰処理について説明する。図１５は、実施の形態３にかかる複合機による省エネルギー状態復帰処理の手順を示すフローチャートである。なお、以下の処理は、省エネルギー状態移行処理（図１４参照）が行われた後に行われるものである。
【０１２９】
まず、Ｉ／Ｏ制御部２１０は、電源キーの押下を受け付けたか否かの判断をする（ステップＳ８０）。電源キーの押下を受け付けた場合（ステップＳ８０：Ｙｅｓ）、この電源キーの押下が利用者による省エネルギー状態からの復帰指示となり、ステップＳ８２に進む。
【０１３０】
一方、電源キーの押下を受け付けていない場合（ステップＳ８０：Ｎｏ）、Ｉ／Ｏ制御部２１０は、原稿の載置などの所定の操作を受け付けたか否かの判断をする（ステップＳ８１）。所定の操作を受け付けていない場合（ステップＳ８１：Ｎｏ）、ステップＳ８０に戻って処理を繰り返す。
【０１３１】
一方、所定の操作を受け付けた場合（ステップＳ８１：Ｙｅｓ）、通信部３５３は、電源供給の開始要求を主制御部１０２に送信する（ステップＳ８２）。
【０１３２】
次に、表示制御部３５２は、ＮＡＮＤ型フラッシュメモリ２０４から復帰時初期画面データを読み出し（ステップＳ８３）、ＲＡＭ２０３に展開して保存する。ここで、展開とは、圧縮されてＮＡＮＤ型フラッシュメモリ２０４に保存されている復帰時初期画面データを伸長すること等が該当する。表示制御部３５２は、ＲＡＭ２０３に復帰時初期画面データの展開保存が終了したか否かの判断をする（ステップＳ８４）。復帰時初期画面データの展開保存が終了していない場合（ステップＳ８４：Ｎｏ）、表示制御部３５２は、展開保存が終了するまで処理を繰り返す。
【０１３３】
一方、復帰時初期画面データの展開保存が終了した場合（ステップＳ８４：Ｙｅｓ）、表示制御部３５２は、読み出した復帰時初期画面データに基づいてＬＣＤパネル２０７に復帰時初期画面を表示する（ステップＳ８５）。
【０１３４】
このように、実施の形態３にかかる複合機１００の操作部制御部１０７は、ブート処理データや復帰時初期画面データが、主制御部１０２の記憶媒体ではなく、操作部制御部１０７のＮＯＲ型フラッシュメモリ２０２やＮＡＮＤ型フラッシュメモリ２０４に保存されていることで、複合機１００が省エネルギー状態から復帰した場合に、ＮＯＲ型フラッシュメモリ２０２からブート処理データを読み出して操作部制御部１０７の起動処理を行い、ＮＡＮＤ型フラッシュメモリ２０４から復帰時初期画面データを読み出して復帰時初期画面を表示するため、操作部制御部１０７から主制御部１０２にブート処理データおよび復帰時初期画面データの要求および受信という送受信処理を行う必要がない。従って、省エネルギー状態からの復帰時に、復帰時初期画面の表示までの起動時間を短縮して、利用者が操作可能となるまでの待ち時間を低減して、操作性を向上させることができる。また、ＮＡＮＤ型フラッシュメモリ２０４に省エネルギー状態への移行時における機器情報を確実に保存することができる。
【０１３５】
なお、本実施の形態では、複合機１００が省エネルギー状態から通常状態に復帰した場合に、常に復帰時初期画面を表示する構成としているが、要求があった場合にのみ表示する構成としてもよい。すなわち、Ｉ／Ｏ制御部２１０が、複合機１００が通常状態から省エネルギー状態に復帰した場合に、タッチパネル２０９から復帰時初期画面を表示する旨の要求を予め受け付けた場合は、当該要求をＣＰＵ５０１に送信する。そして、表示制御部３５２は、複合機１００が通常状態から省エネルギー状態に復帰した場合であって、かつＩ／Ｏ制御部２１０により復帰時初期画面を表示する旨の要求を受け付けていた場合に、復帰時初期画面をＬＣＤパネル２０７に表示する構成とする。
【０１３６】
このように構成した場合、省エネルギー状態移行時にＮＡＮＤ型フラッシュメモリ２０４に復帰時初期画面データを保存して、省エネルギー状態からの復帰時に、該復帰時初期画面データをＲＡＭ２０３に転送することで若干時間がかかるものの操作部制御部１０７の電源遮断が可能となることによる消費電力が節約される設定とするか、もしくは、操作部制御部１０７のＲＡＭ２０３やＣＰＵ（制御部５０１）に電源供給を継続して省エネルギー状態からの復帰時間を早くするかを、機器管理者また利用者が選択可能となる。
【０１３７】
（実施の形態３の変形例）
実施の形態３では、不揮発性メモリに省エネルギー状態から復帰した場合に表示する復帰時初期画面データが保存されており、複合機が省エネルギー状態から復帰した場合に該復帰時初期画面を表示していた。本実施の形態では、複合機が省エネルギー状態から復帰し、さらに、主制御部から復帰時初期画面を表示する旨の指示を受信した場合に、該復帰時初期画面を表示するものである。
【０１３８】
図１６は、実施の形態３の変形例にかかる複合機における操作部制御部のハードウェア構成を示すブロック図である。図１６に示すように、本実施の形態では、実施の形態１における操作部制御部のハードウェア構成に加え、接続線２１５を備えた構成となっている。
【０１３９】
接続線２１５は、主制御部１０２と操作部制御部１０７とを接続し、主制御部１０２から操作部制御部１０７に対して送出される、復帰時初期画面を表示する旨の指示である復帰時画面表示指示の信号を伝送するものである。
【０１４０】
次に、実施の形態３における図１３を参照して、ＣＰＵ５０１について詳細に説明する。
【０１４１】
通信部３５３は、実施の形態３における構成および機能に加え、復帰時画面表示指示を、主制御部１０２から受信するものである。
【０１４２】
表示制御部３５２は、実施の形態３における構成および機能に加え、通信部３５３により復帰時画面表示指示を受信した場合、復帰時初期画面をＬＣＤパネル２０７に表示するものである。
【０１４３】
次に、以上のように構成された複合機１００による省エネルギー状態復帰処理について説明する。図１７は、実施の形態３の変形例にかかる複合機による省エネルギー状態復帰処理の手順を示すフローチャートである。なお、以下の処理は、実施の形態３における省エネルギー状態移行処理（図１４参照）が行われた後に行われるものである。
【０１４４】
まず、Ｉ／Ｏ制御部２１０による電源キーの押下から、ＲＡＭ２０３に復帰時初期画面データを展開保存するまでの処理（ステップＳ９０〜９４）は、実施の形態３における処理と同様であるため省略する（ステップＳ８０〜８４）。
【０１４５】
次に、通信部３５３は、復帰時画面表示指示を主制御部１０２から受信したか否かを判断する（ステップＳ９５）。復帰時画面表示指示を受信した場合（ステップＳ９５：Ｙｅｓ）、表示制御部３５２は、復帰時初期画面をＬＣＤパネル２０７に表示する（ステップＳ９６）。一方、復帰時画面表示指示を受信しなかった場合（ステップＳ９５：Ｎｏ）、表示制御部３５２は、復帰時初期画面を表示せずそのまま処理を終了する。
【０１４６】
このように、実施の形態３の変形例にかかる複合機１００の操作部制御部１０７は、主制御部１０２から復帰時画面表示指示を受信した場合に、復帰時初期画面を表示する構成となっている。従って、実施の形態３における効果に加え、省エネルギー状態からの復帰要因が電源キー押下や原稿の載置などであったときにはＬＣＤパネル２０７への復帰時初期画面等の画面表示が必要となるが、プリンタ出力要求などの際にはＬＣＤパネル２０７への表示は不要となるため、このような場合に復帰時初期画面を表示することなく、複合機の無駄な電力消費を抑制可能となる。
【０１４７】
（実施の形態４）
実施の形態１の複合機における操作部制御部は、操作部制御部の不揮発性メモリに保存されたブート処理データや初期画面データを読み出して初期画面を表示する処理を行うものであった。これに対し、本実施の形態では、操作部制御部の不揮発性メモリに保存された動画データを読み出して動画を表示する処理を行うものである。なお、ＮＡＮＤ型フラッシュメモリ２０４以外の複合機および操作部制御部のハードウェア構成については、実施の形態１と同様であるため説明を省略する（図１、２参照）。以下では、まずＮＡＮＤ型フラッシュメモリ２０４について説明する。
【０１４８】
ＮＡＮＤ型フラッシュメモリ２０４は、実施の形態１における構成および機能に加え、主制御部１０２からの表示指示を受信した場合にＬＣＤパネル２０７に表示される動画のデータである動画データが保存されている。
【０１４９】
次に、ＣＰＵ６０１について詳細に説明する。図１８は、実施の形態４にかかる操作部制御部におけるＣＰＵによって実行される制御プログラムのモジュール構成を示すブロック図である。図１８では、ＣＰＵによって制御プログラムが主記憶装置上に読み出されて制御部６０１として実行された状態を示している。図１８に示すように、制御部６０１は、処理制御部２５１と、表示制御部４５２と、通信部４５３とを主に備えている。ここで、処理制御部２５１の構成および機能については、実施の形態１と同様であるため説明を省略する。
【０１５０】
表示制御部４５２は、実施の形態１における構成および機能に加え、動画をＬＣＤパネル２０７に表示する旨の動画表示指示を、主制御部１０２から受信した場合、ＮＡＮＤ型フラッシュメモリ２０４から動画データを読み出して、読み出した動画データに基づいてＬＣＤパネル２０７に動画を表示するものである。
【０１５１】
通信部４５３は、実施の形態１における構成および機能に加え、主制御部１０２から動画表示指示を受信するものである。
【０１５２】
次に、以上のように構成された複合機１００における操作部制御部１０７による動画表示処理について説明する。図１９は、実施の形態４にかかる操作部制御部による動画表示処理の手順を示すフローチャートである。
【０１５３】
まず、通信部４５３は、主制御部１０２から動画表示指示を受信したか否かの判断をする（ステップＳ１００）。動画表示指示を受信していない場合（ステップＳ１００：Ｎｏ）、受信するまで待機する。
【０１５４】
一方、動画表示指示を受信した場合（ステップＳ１００：Ｙｅｓ）、表示制御部４５２は、ＮＡＮＤ型フラッシュメモリ２０４から動画データを読み出し（ステップＳ１０１）、ＲＡＭ２０３に展開して保存する。ここで、展開とは、圧縮されてＮＡＮＤ型フラッシュメモリ２０４に保存されている動画データを伸長すること等が該当する。表示制御部４５２は、ＲＡＭ２０３に動画データの展開保存が終了したか否かの判断をする（ステップＳ１０２）。動画データの展開保存が終了していない場合（ステップＳ１０２：Ｎｏ）、表示制御部４５２は、展開保存が終了するまで処理を繰り返す。
【０１５５】
一方、動画データの展開保存が終了した場合（ステップＳ１０２：Ｙｅｓ）、表示制御部４５２は、読み出した動画データに基づいてＬＣＤパネル２０７に動画を表示する（ステップＳ１０３）。
【０１５６】
このように、実施の形態４にかかる複合機１００の操作部制御部１０７は、動画データが、主制御部１０２の記憶媒体ではなく、操作部制御部１０７のＮＡＮＤ型フラッシュメモリ２０４に保存されていることで、操作部制御部１０７が動画表示指示を受信した場合に、ＮＡＮＤ型フラッシュメモリ２０４から動画データを読み出して動画を表示するため、操作部制御部１０７から主制御部１０２に動画データの要求および受信という送受信処理を行う必要がない。従って、主制御部１０２から動画データを受け取って表示する装置と比較すると、動画の表示要求から実際に動画が表示されるまでの起動時間を短縮することができ、機能性を向上することができる。
【０１５７】
例えば、動画の表示内容を、複合機の操作説明（用紙詰まりの際の除去方法など）とした場合には、利用者の操作状況に対応して直ちに該表示内容を表示することが可能となるため、操作性を向上させることができる。
【０１５８】
また、通信制御部２０５における通信処理を停止させても、操作部制御部１０７が動作していれば動画の表示が可能となるため、動画の表示内容を複合機の機能・動作とは無関係の広告画像とし、複合機が処理を実行していない待機状態や省エネ状態の時に動画を表示することができる。さらに、このとき、上述したように通信制御部２０５の通信処理を停止することが可能となるため、省エネ状態の消費電力量の増加を抑制することができる。
【０１５９】
（実施の形態５）
実施の形態４では、操作部制御部の不揮発性メモリに保存された動画データを読み出して動画を表示する処理を行うものであった。これに対し、本実施の形態では、さらに、不揮発性メモリに保存された動画データを更新できるものである。なお、ＮＡＮＤ型フラッシュメモリ２０４以外の複合機および操作部制御部のハードウェア構成については、実施の形態１と同様であるため説明を省略する（図１、２参照）。また、ＮＡＮＤ型フラッシュメモリ２０４については、実施の形態４と同様であるため説明を省略する。
【０１６０】
次に、ＣＰＵ７０１について詳細に説明する。図２０は、実施の形態５にかかる操作部制御部におけるＣＰＵによって実行される制御プログラムのモジュール構成を示すブロック図である。図２０では、ＣＰＵによって制御プログラムが主記憶装置上に読み出されて制御部７０１として実行された状態を示している。図２０に示すように、制御部７０１は、処理制御部２５１と、表示制御部４５２と、通信部５５３と、更新部５５６とを主に備えている。ここで、処理制御部２５１、表示制御部４５２の構成および機能については、実施の形態４と同様であるため説明を省略する。
【０１６１】
通信部５５３は、実施の形態４における機能および構成に加え、ＮＡＮＤ型フラッシュメモリ２０４に保存されている動画データを更新する旨の更新指示と、ＬＣＤパネル２０７に表示する新規の動画データ、すなわち現在ＮＡＮＤ型フラッシュメモリ２０４に保存されている動画データより新しい動画データである新規動画データとを、主制御部１０２から受信するものである。また、通信部５５３は、更新部５５６による動画データの更新が成功しなかった場合、主制御部１０２に、新規動画データの再送要求を送信する。
【０１６２】
更新部５５６は、通信部５５３により受信した更新指示に従って、同じく受信した新規動画データをＮＡＮＤ型フラッシュメモリ２０４に保存されている動画データに上書きして保存することで、動画データを更新するものである。
【０１６３】
次に、以上のように構成された複合機１００における操作部制御部１０７による動画データ更新処理について説明する。図２１は、実施の形態５にかかる操作部制御部による動画データ更新処理の手順を示すフローチャートである。
【０１６４】
まず、通信部５５３は、主制御部１０２から更新指示を受信したか否かの判断をする（ステップＳ１１０）。更新指示を受信していない場合（ステップＳ１１０：Ｎｏ）、受信するまで待機する。一方、更新指示を受信した場合（ステップＳ１１０：Ｙｅｓ）、主制御部１０２から新規動画データを受信したか否かの判断をする（ステップＳ１１１）。
【０１６５】
新規動画データを受信していない場合（ステップＳ１１１：Ｎｏ）、受信するまで待機する。一方、新規動画データを受信した場合（ステップＳ１１１：Ｙｅｓ）、更新部５５６は、受信した新規動画データをＲＡＭ２０３に一次保存する（ステップＳ１１２）。
【０１６６】
そして、更新部５５６は、一次保存した新規動画データを、ＮＡＮＤ型フラッシュメモリ２０４に書込み開始し（ステップＳ１１３）、書込みが完了したか否かの判断をする（ステップＳ１１４）。書込みが完了していない場合（ステップＳ１１４：Ｎｏ）、書込み処理を繰り返す。
【０１６７】
一方、書込みが完了した場合（ステップＳ１１４：Ｙｅｓ）、更新部５５６は、動画データのＮＡＮＤ型フラッシュメモリ２０４への保存が成功したか否かを判断する（ステップＳ１１５）。動画データの保存が成功していない場合（ステップＳ１１５：Ｎｏ）、通信部５５３は、主制御部１０２に、新規動画データの再送要求を送信する（ステップＳ１１６）。一方、動画データの保存が成功した場合（ステップＳ１１５：Ｙｅｓ）、処理を終了する。
【０１６８】
このように、実施の形態５にかかる複合機１００の操作部制御部１０７は、ＮＡＮＤ型フラッシュメモリ２０４に保存されている動画データを更新することができる。従って、実施の形態４の効果に加え、常に新規の動画データを表示することができるため、複合機の機能性を向上させることができる。例えば、動画の表示内容を複合機の機能・動作とは無関係の広告画像等にした場合、本体装置とは別個に各利用者の要求に応じた動画表示の提供が可能となり、複合機の機能性を向上させることができる。
【０１６９】
（実施の形態６）
実施の形態５では、不揮発性メモリに保存された動画データを更新できるものであった。本実施の形態では、さらに、更新する旨の要求があった場合に、動画データの更新を行うものである。なお、ＮＡＮＤ型フラッシュメモリ２０４以外の複合機および操作部制御部のハードウェア構成については、実施の形態１と同様であるため説明を省略する（図１、２参照）。また、ＮＡＮＤ型フラッシュメモリ２０４については、実施の形態５と同様であるため説明を省略する。
【０１７０】
次に、図２０を参照して、ＣＰＵの詳細について説明する。通信部５５３は、実施の形態５における構成および機能に加え、Ｉ／Ｏ制御部２１０によりたＮＡＮＤ型フラッシュメモリ２０４に保存されている動画データの更新要求を受け付けた場合、受け付けた更新要求を主制御部１０２に送信するものである。
【０１７１】
次に、主制御部１０２について詳細に説明する。図２２は、実施の形態６にかかる主制御部によって実行される制御プログラムのモジュール構成を示すブロック図である。図２２に示すように、主制御部１０２は、データ取得部６５１と、通信部６５２とを主に備えている。
【０１７２】
データ取得部６５１は、通信部６５２により更新要求を受信した場合、ネットワークを介して新規動画データを取得するものである。すなわち、データ取得部６５１は、コンピュータネットワーク上の所定のアドレスにアクセスし、所定のアドレスに存在する動画データ（新規動画データ）ファイルをダウンロードし、新規動画データを取得する。ここでダウンロードの制御方法は、ＴＣＰ／ＩＰ等の既存の規格に準ずるものとする。
【０１７３】
通信部６５２は、更新要求を操作部制御部１０７から受信するものである。また、通信部６５２は、データ取得部６５１により取得した新規動画データと、該新規動画データによりＮＡＮＤ型フラッシュメモリ２０４の動画データを更新する旨の指示である更新指示とを、操作部制御部１０７に送信する。
【０１７４】
次に、以上のように構成された複合機１００における主制御部１０２による動画データ取得処理について説明する。図２３は、実施の形態６にかかる主制御部による動画データ取得処理の手順を示すフローチャートである。
【０１７５】
まず、通信部６５２は、操作部制御部１０７から更新要求を受信したか否かを判断する（ステップＳ１２０）。更新要求を受信していない場合（ステップＳ１２０：Ｎｏ）、受信するまで待機する。
【０１７６】
一方、更新要求を受信した場合（ステップＳ１２０：Ｙｅｓ）、データ取得部６５１は、新規動画データをダウンロードする（ステップＳ１２１）。そして、データ取得部６５１は、ダウンロードが完了したか否かを判断する（ステップＳ１２２）。完了していない場合（ステップＳ１２２：Ｎｏ）、完了するまで処理を繰り返す。
【０１７７】
一方、ダウンロードが完了した場合（ステップＳ１２２：Ｙｅｓ）、通信部６５２は、更新指示と取得した新規動画データとを、操作部制御部１０７に送信する（ステップＳ１２３）。そして、更新指示と新規動画データを受信した操作部制御部１０７は、更新指示に従って、ＮＡＮＤ型フラッシュメモリ２０４の動画データを更新する。
【０１７８】
このように、実施の形態６にかかる複合機１００の主制御部１０２は、更新要求を受け付けた場合に、新規動画データをコンピュータネットワーク上からダウンロードすることで取得する構成となっている。従って、実施の形態５の効果に加え、動画データの更新のために複合機に対する直接的な操作が不要となり、動画データの更新操作を簡素化することができる。また、動画データの更新機能の追加による構成の追加が不要となり、システムの複雑化を防止することができる。
【０１７９】
（実施の形態７）
実施の形態５では、不揮発性メモリに保存された動画データを更新できるものであった。本実施の形態では、さらに、予め定められたタイミングで、動画データの更新を行うものである。なお、ＮＡＮＤ型フラッシュメモリ２０４以外の複合機および操作部制御部のハードウェア構成については、実施の形態１と同様であるため説明を省略する（図１、２参照）。また、ＮＡＮＤ型フラッシュメモリ２０４については、実施の形態５と同様であるため説明を省略する。
【０１８０】
次に、主制御部１０２について詳細に説明する。図２４は、実施の形態７にかかる主制御部によって実行される制御プログラムのモジュール構成を示すブロック図である。図２４に示すように、主制御部１０２は、データ取得部６６１と、通信部６６２と、タイマ部６６３とを主に備えている。
【０１８１】
データ取得部６６１は、タイマ部６６３によりカウントされた動画データの更新するタイミングになった場合に、ネットワーク上に新規動画データが存在していた場合、ネットワークを介して新規動画データを取得するものである。新規動画データの取得方法は、実施の形態６と同様であるため説明を省略する。
【０１８２】
通信部６６２は、データ取得部６６１により取得した新規動画データと、該新規動画データによりＮＡＮＤ型フラッシュメモリ２０４の動画データを更新する旨の指示である更新指示とを、操作部制御部１０７に送信するものである。
【０１８３】
タイマ部６６３は、ＮＡＮＤ型フラッシュメモリ２０４に保存されている動画データを更新するタイミングを判断するものである。具体的には、タイマ部６６３は、更新するタイミング間隔を予め定めておき、最後に更新した際から定められた所定の時間が経過した場合に、次の更新タイミングと判断する。
【０１８４】
次に、以上のように構成された複合機１００における主制御部１０２による動画データ取得処理について説明する。図２５は、実施の形態７にかかる主制御部による動画データ取得処理の手順を示すフローチャートである。
【０１８５】
まず、タイマ部６６３は、動画データの更新タイミングになったか否かを判断する（ステップＳ１３０）。更新タイミングになっていない場合（ステップＳ１３０：Ｎｏ）、更新タイミングになるまで待機する。一方、更新タイミングになった場合（ステップＳ１３０：Ｙｅｓ）、データ取得部６６１は、ネットワーク上に新規動画データが存在するか否かを判断する（ステップＳ１３１）。新規動画データが存在しない場合（ステップＳ１３１：Ｎｏ）、新規動画データが存在するまで処理を繰り返す。
【０１８６】
一方、新規動画データが存在した場合（ステップＳ１３１：Ｙｅｓ）、データ取得部６６１は、新規動画データをダウンロードする（ステップＳ１３２）。そして、データ取得部６６１は、ダウンロードが完了したか否かを判断する（ステップＳ１３３）。完了していない場合（ステップＳ１３３：Ｎｏ）、完了するまで処理を繰り返す。
【０１８７】
一方、ダウンロードが完了した場合（ステップＳ１３３：Ｙｅｓ）、通信部６６２は、更新指示と取得した新規動画データとを、操作部制御部１０７に送信する（ステップＳ１３４）。そして、更新指示と新規動画データを受信した操作部制御部１０７は、更新指示に従って、ＮＡＮＤ型フラッシュメモリ２０４の動画データを更新する。
【０１８８】
このように、実施の形態７にかかる複合機１００の主制御部１０２は、予め定めた更新タイミングになった場合に、新規動画データをコンピュータネットワーク上からダウンロードすることで取得する構成となっている。従って、実施の形態５の効果に加え、定期的に動画データの更新を行うため、動画データの更新機能の追加による構成の追加が不要となり、システムの複雑化を防止することができる。また、動画データの更新処理によって、利用者の複合機の使用を妨害せず、複合機の利便性の低減を抑制することができる。さらに、多数の複合機が接続されている場合でも、全ての複合機に対する動画データの更新を確実かつ迅速に行うことができる。
【０１８９】
なお、本実施の形態では、タイマ部６６３により予め定めた所定時間が経過したかにより更新タイミングを判断して、動画データを更新しているが、これに限定されることはなく、通常状態や省エネルギー状態などの複合機の状態（モード）指定時を更新タイミングと判断して、動画データを更新してもよい。
【０１９０】
（実施の形態８）
実施の形態５では、不揮発性メモリに保存された動画データを更新できるものであった。本実施の形態では、さらに、着脱可能な不揮発性メモリにより動画データの更新を行うものである。なお、ＮＡＮＤ型フラッシュメモリ２０４以外の複合機および操作部制御部のハードウェア構成については、実施の形態１と同様であるため説明を省略する（図１、２参照）。また、ＮＡＮＤ型フラッシュメモリ２０４については、実施の形態５と同様であるため説明を省略する。
【０１９１】
次に、主制御部１０２について詳細に説明する。図２６は、実施の形態８にかかる主制御部によって実行される制御プログラムのモジュール構成を示すブロック図である。図２６に示すように、主制御部１０２は、データ取得部６７１と、通信部６７２と、メモリ検知部６７４とを主に備えている。
【０１９２】
メモリ検知部６７４は、複合機１００に対して着脱可能であって、新規動画データを保存可能な不揮発性の記憶媒体であるメモリ（不図示）が、複合機１００の専用ソケットに装着されたか否かを検知するものである。
【０１９３】
データ取得部６７１は、メモリ検知部６７４により、メモリが複合機に装着された場合、当該メモリに保存されている新規動画データを読み出して、新規動画データを取得するものである。
【０１９４】
通信部６７２は、データ取得部６７１により取得した新規動画データと、該新規動画データによりＮＡＮＤ型フラッシュメモリ２０４の動画データを更新する旨の指示である更新指示とを、操作部制御部１０７に送信するものである。
【０１９５】
次に、以上のように構成された複合機１００における主制御部１０２による動画データ取得処理について説明する。図２７は、実施の形態８にかかる主制御部による動画データ取得処理の手順を示すフローチャートである。
【０１９６】
まず、メモリ検知部６７４は、複合機１００の専用ソケットにメモリが装着されたか否かを判断する（ステップＳ１４０）。メモリが装着されていない場合（ステップＳ１４０：Ｎｏ）、装着されるまで待機する。
【０１９７】
一方、メモリが装着されていた場合（ステップＳ１４０：Ｙｅｓ）、データ取得部６７１は、メモリから新規動画データを読み出す（ステップＳ１４１）。そして、データ取得部６７１は、新規動画データの読み出しが完了したか否かを判断する（ステップＳ１４２）。完了していない場合（ステップＳ１４２：Ｎｏ）、完了するまで処理を繰り返す。
【０１９８】
一方、読み出しが完了した場合（ステップＳ１４２：Ｙｅｓ）、通信部６７２は、更新指示と取得した新規動画データとを、操作部制御部１０７に送信する（ステップＳ１４３）。そして、更新指示と新規動画データを受信した操作部制御部１０７は、更新指示に従って、ＮＡＮＤ型フラッシュメモリ２０４の動画データを更新する。
【０１９９】
このように、実施の形態８にかかる複合機１００の主制御部１０２は、新規動画データを保存したメモリが複合機１００に装着された場合、メモリから読み出して新規動画データを取得する構成となっている。従って、実施の形態５の効果に加え、ネットワークに接続されていないスタンドアローン複合機であっても、容易に動画データを更新することができ、機能性を向上させることができる。
【０２００】
なお、実施の形態１〜８の複合機１００で実行される表示処理プログラムは、ＲＯＭ等に予め組み込まれて提供される。
【０２０１】
実施の形態１〜８の複合機１００で実行される表示処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０２０２】
さらに、実施の形態１〜８の複合機１００で実行される表示処理プログラムを、インターネット等のネットワークに接続されたコンピュータ上に保存し、ネットワーク経由でダウンロードさせることにより提供するように構成しても良い。また、実施の形態１〜８の複合機１００で実行される表示処理プログラムをインターネット等のネットワーク経由で提供または配布するように構成しても良い。
【０２０３】
実施の形態１〜８の複合機１００で実行される表示処理プログラムは、上述した各部（処理制御部、表示制御部、通信部、判断部、機器情報取得部、画面生成部、更新部）を含むモジュール構成となっており、実際のハードウェアとしてはＣＰＵ（プロセッサ）が上記ＲＯＭから表示処理プログラムを読み出して実行することにより上記各部が主記憶装置上にロードされ、処理制御部、表示制御部、通信部、判断部、機器情報取得部、画面生成部、更新部が主記憶装置上に生成されるようになっている。
【図面の簡単な説明】
【０２０４】
【図１】実施の形態１にかかる複合機のハードウェア構成を示すブロック図である。
【図２】実施の形態１にかかる複合機における操作部制御部のハードウェア構成を示すブロック図である。
【図３】実施の形態１にかかる操作部制御部におけるＣＰＵによって実行される制御プログラムのモジュール構成を示すブロック図である。
【図４】実施の形態１にかかる操作部制御部による画面表示処理の手順を示すフローチャートである。
【図５】実施の形態１の変形例１にかかる操作部制御部におけるＣＰＵによって実行される制御プログラムのモジュール構成を示すブロック図である。
【図６】実施の形態１の変形例１にかかる操作部制御部による画面表示処理の手順を示すフローチャートである。
【図７】実施の形態１の変形例２にかかる操作部制御部におけるＣＰＵによって実行される制御プログラムのモジュール構成を示すブロック図である。
【図８】実施の形態１の変形例２にかかる操作部制御部による画面表示処理の手順を示すフローチャートである。
【図９】実施の形態２にかかる操作部制御部におけるＣＰＵによって実行される制御プログラムのモジュール構成を示すブロック図である。
【図１０】選択画面の一例を示す説明図である。
【図１１】選択画面の他の一例を示す説明図である。
【図１２】実施の形態２にかかる操作部制御部による画面表示処理の手順を示すフローチャートである。
【図１３】実施の形態３にかかる操作部制御部におけるＣＰＵによって実行される制御プログラムのモジュール構成を示すブロック図である。
【図１４】実施の形態３にかかる複合機による省エネルギー状態移行処理の手順を示すフローチャートである。
【図１５】実施の形態３にかかる複合機による省エネルギー状態復帰処理の手順を示すフローチャートである。
【図１６】実施の形態３の変形例にかかる複合機における操作部制御部のハードウェア構成を示すブロック図である。
【図１７】実施の形態３の変形例にかかる複合機による省エネルギー状態復帰処理の手順を示すフローチャートである。
【図１８】実施の形態４にかかる操作部制御部におけるＣＰＵによって実行される制御プログラムのモジュール構成を示すブロック図である。
【図１９】実施の形態４にかかる操作部制御部による動画表示処理の手順を示すフローチャートである。
【図２０】実施の形態５にかかる操作部制御部におけるＣＰＵによって実行される制御プログラムのモジュール構成を示すブロック図である。
【図２１】実施の形態５にかかる操作部制御部による動画データ更新処理の手順を示すフローチャートである。
【図２２】実施の形態６にかかる主制御部によって実行される制御プログラムのモジュール構成を示すブロック図である。
【図２３】実施の形態６にかかる主制御部による動画データ取得処理の手順を示すフローチャートである。
【図２４】実施の形態７にかかる主制御部によって実行される制御プログラムのモジュール構成を示すブロック図である。
【図２５】実施の形態７にかかる主制御部による動画データ取得処理の手順を示すフローチャートである。
【図２６】実施の形態８にかかる主制御部によって実行される制御プログラムのモジュール構成を示すブロック図である。
【図２７】実施の形態８にかかる主制御部による動画データ取得処理の手順を示すフローチャートである。
【符号の説明】
【０２０５】
１００  複合機
１０２  主制御部
１０３  スキャナ部
１０４  プロッタ部
１０５  画像処理部
１０６  Ｉ／Ｏ制御部
１０７  操作部制御部
１０８  電源制御部
１１１  通信制御線
２０１，３０１，３０２，４０１，５０１，６０１，７０１  ＣＰＵ（制御部）
２０２  ＮＯＲ型フラッシュメモリ
２０３  ＲＡＭ
２０４  ＮＡＮＤ型フラッシュメモリ
２０５  通信制御部
２０６  ＬＣＤコントローラ
２０７  ＬＣＤパネル
２０８  ＫＥＹ
２０９  タッチパネル
２１０  Ｉ／Ｏ制御部
２５１  処理制御部
２５２，２６２，２８２，３５２，４５２  表示制御部
２５３，２６３，２７３，２８３，３５３，４５３，５５３  通信部
２７４  判断部
３５４  機器情報取得部
３５５  画面生成部
５５６  更新部
６５１，６６１，６７１  データ取得部
６５２，６６２，６７２  通信部
６６３  タイマ部
６７４  メモリ検知部
【図１】
0005049194.tif 000002
【図２】
0005049194.tif 000003
【図３】
0005049194.tif 000004
【図４】
0005049194.tif 000005
【図５】
0005049194.tif 000006
【図６】
0005049194.tif 000007
【図７】
0005049194.tif 000008
【図８】
0005049194.tif 000009
【図９】
0005049194.tif 000010
【図１０】
0005049194.tif 000011
【図１１】
0005049194.tif 000012
【図１２】
0005049194.tif 000013
【図１３】
0005049194.tif 000014
【図１４】
0005049194.tif 000015
【図１５】
0005049194.tif 000016
【図１６】
0005049194.tif 000017
【図１７】
0005049194.tif 000018
【図１８】
0005049194.tif 000019
【図１９】
0005049194.tif 000020
【図２０】
0005049194.tif 000021
【図２１】
0005049194.tif 000022
【図２２】
0005049194.tif 000023
【図２３】
0005049194.tif 000024
【図２４】
0005049194.tif 000025
【図２５】
0005049194.tif 000026
【図２６】
0005049194.tif 000027
【図２７】
0005049194.tif 000028